(57)【要約】【課題】特定基地局への一般無線端末の接続数を抑制可能とする。【解決手段】アクセス権を有する特定無線端末に対して利用を許容する基地局であって、開始指示を受けて所定期間を計時する処理と、前記所定期間の満了前に前記アクセス権を有しない一般無線端末からアクセス権情報を受け付けたときに当該一般無線端末による前記基地局の利用を許容する処理とを行う制御装置、を含む。【選択図】図７Ａ
2015154215.tif 000002
【特許請求の範囲】
【請求項１】
アクセス権を有する特定無線端末に対して利用を許容する基地局であって、
開始指示を受けて所定期間を計時する処理と、前記所定期間の満了前に前記アクセス権を有しない一般無線端末からのアクセス権情報を受け付けたときに当該一般無線端末による前記基地局の利用を許容する処理とを行う制御装置、
を含む基地局。
【請求項２】
前記制御装置は、一般無線端末が受信可能な方式で前記アクセス権情報を含む報知情報を送信する送信装置をさらに含む
請求項１に記載の基地局。
【請求項３】
前記制御装置は、前記アクセス権情報を含む報知情報を他の報知情報の送信電力より低い送信電力で送信する処理を行う
請求項２に記載の基地局。
【請求項４】
近距離無線通信又は赤外線通信によって前記アクセス権情報を一般無線端末へ送信する通信機器をさらに含む
請求項１から３のいずれか１項に記載の基地局。
【請求項５】
前記制御装置は、前記アクセス権情報を記憶している一般端末向けに前記アクセス権情報の削除指示を送信する
請求項１から４の何れか１項に記載の基地局。
【請求項６】
特定基地局に対するアクセス権を有しない無線端末であって、
前記特定基地局に対するアクセス権情報の受信、又は前記アクセス権情報の一次元又は二次元コードの読み取りによって前記アクセス権情報を取得する装置と、
前記アクセス権情報を記憶する記憶装置と、
前記アクセス権情報が前記記憶装置に記憶されていることを条件として前記特定基地局のセルを待ち受けセルに決定する処理と、前記特定基地局のセルを待ち受けセルに決定したときに前記アクセス権情報を前記特定基地局へ送信する処理と、前記アクセス権情報が所定期間内に前記特定基地局に受け付けられたことによって前記特定基地局の利用が許容されたことを示す応答が受信されないときに前記記憶装置から前記アクセス権情報を削除する処理とを行う制御装置と、
を含む無線端末。
【発明の詳細な説明】
【技術分野】
【０００１】
本開示は、基地局、及び無線端末に関する。
【背景技術】
【０００２】
３ＧＰＰによりなされた携帯電話（セルラーフォン）の通信規格の１つとしてLong Term Evolution（ＬＴＥ）がある。また、ＬＴＥの発展規格として、LTE-Advanced（ＬＴＥ
−Ａ）がある（以下ＬＴＥ及びＬＴＥ−Ａをまとめて「ＬＴＥ」と表記する）。
【０００３】
ＬＴＥに係る３ＧＰＰの仕様書“Release 8”では、Closed Subscriber Group（ＣＳＧ）と呼ばれる機能が提供されている。具体的には、特定の基地局（特定基地局）へのアクセスを許容する無線端末（User Equipment:ＵＥと呼ばれる）のグループ（ＣＳＧ）が設
定される。ＣＳＧに属する無線端末（特定無線端末と称する）は、特定基地局によって形成されるセル（ＣＳＧセルと呼ばれる）の利用が許容される。ＣＳＧセルを形成する特定基地局の一つとして、屋内に設置されるフェムト基地局があり、ＬＴＥでは、Home-eNodeB （ＨｅＮＢ）と呼ばれている。
【０００４】
ＣＳＧに属さない無線端末（一般無線端末と称する）は、特定基地局の付近に位置する場合であっても、ＣＳＧセルを介した通信を行うことができない。このため、特定基地局の付近に位置する一般無線端末は、公衆無線網（マクロセル）を介した通信を行う。
【０００５】
このとき、マクロセルとＣＳＧセルとが同一の周波数帯で運用されていると、特定基地局の設置位置によっては、相互干渉の問題が発生する。すなわち、一般無線端末がマクロセルとの通信を行うときに、ＣＳＧセルへの上り干渉が生じることがあり得る。或いは、一般の無線端末の下り通信において、ＣＳＧセルからの電波による干渉が生じることがあり得る。
【０００６】
上記した干渉の問題に鑑み、ＬＴＥに係る３ＧＰＰの仕様書“Release 9”では、ＣＳ
Ｇ機能が拡張されている。“Release 9”では、特定無線端末のみにＣＳＧセルの利用を
許容するＣＳＧモードに加えて、“Hybrid（ハイブリッド）型”と呼ばれるモード（ハイブリッドモード）が提供されている。ハイブリッドモードで動作する特定基地局は、ＣＳＧ−ＩＤ（ＣＳＧセルの識別子）とＣＳＧセルが一般無線端末にも開放されたことを示す１ビットのフラグとを含む報知情報を送信する。
【０００７】
一般無線端末は、上記報知情報を受信すると、ＣＳＧセルをマクロセルとして扱い、当該ＣＳＧセルを介した通信を行うことができる。このように、特定基地局がハイブリッドモードで動作する場合には、特定無線端末及び一般無線端末の双方が特定基地局を用いた通信を行うことができる。
【０００８】
ハイブリッドモードに類似する技術として、ＨｅＮＢ配下のＣＳＧセルを介する通信を許容する特定移動局を管理するように構成され、特定移動局以外の一般移動局は、ＣＳＧセルにおける待ち受けを許容することを通知する報知情報を受信した場合にのみ、ＣＳＧセルを待ち受けセルとするように構成された移動通信システムがある（例えば、特許文献１）。
【先行技術文献】
【特許文献】
【０００９】
【特許文献１】国際公開ＷＯ２００９／０５７６０２
【発明の開示】
【発明が解決しようとする課題】
【００１０】
ハイブリッドモードや特許文献１記載の技術のような関連技術では、以下の問題があった。例えば、特定基地局の管理者が一時的に一般無線端末の所有者（例えば来客）に特定基地局の利用を許容したい場合がある。このようなケースにおいて、関連技術では、特定無線端末以外の一般無線端末に特定基地局の利用を許容する報知情報を送信する。これによって、特定基地局の周辺に存在する不特定多数の一般無線端末に特定基地局の利用が開放された状態となる。
【００１１】
このとき、特定基地局の周辺の電波環境によっては、特定基地局の周辺に存在する複数の一般無線端末が報知情報を受信した結果として特定基地局のセルを待ち受けセルに決定し、無線接続要求を特定基地局へ送信することが起こり得る。この場合、無線接続要求が特定基地局における無線端末の収容能力を超えてしまい、管理者が利用を許容したい一般無線端末や特定無線端末が特定基地局に接続できないケースが起こり得る。或いは、一般無線端末が特定基地局に接続された結果として特定基地局の負荷が増大し、特定基地局に接続された無線端末に関する通信障害が発生する虞もあり得る。
【００１２】
上記のように、関連技術では、特定基地局の利用が許容される一般無線端末の接続数を抑制可能な環境を提供することができない。このため、一般無線端末に特定基地局の利用を開放した結果、特定無線端末や管理者が利用を許容したい一般無線端末に関して特定基地局の利用に制限が生じる虞があった。
【００１３】
本開示は、特定基地局への一般無線端末の接続数を抑制可能な技術を提供することを目的とする。
【課題を解決するための手段】
【００１４】
本開示は、アクセス権を有する特定無線端末に対して利用を許容する基地局であって、開始指示を受けて所定期間を計時する処理と、前記所定期間の満了前に前記アクセス権を有しない一般無線端末からアクセス権情報を受け付けたときに当該一般無線端末による前記基地局の利用を許容する処理とを行う制御装置、を含む。
【発明の効果】
【００１５】
本開示によれば、特定基地局への一般無線端末の接続数を抑制することができる。
【図面の簡単な説明】
【００１６】
【図１】図１は、実施形態に係る適用される無線通信システムの構成例を示す。
【図２】図２は、一般基地局及び特定基地局として使用可能な基地局装置のハードウェア構成例を示す図である。
【図３】図３は、特定基地局として使用される基地局のＣＰＵで実行される処理を模式的に示す図である。
【図４】図４は、アクセス権管理テーブルのデータ構造例を示す。
【図５】図５は、無線端末のハードウェア構成例を示す。
【図６】図６は、一般無線端末のＣＰＵによって実行される処理を模式的に示す。
【図７Ａ】図７Ａは、一般無線端末が特定基地局のＣＳＧセルを待ち受けセルに設定するときの動作を示すシーケンス図である。
【図７Ｂ】図７Ｂは、一般無線端末が特定基地局のＣＳＧセルを待ち受けセルに設定するときの動作を示すシーケンス図である。
【図８Ａ】図８Ａは、ＣＳＧモードかハイブリッドモードかを示す報知情報Ａのフォーマット例を示す。
【図８Ｂ】図８Ｂは、ＣＳＧ−ＩＤ格納指示及びＣＳＧ−ＩＤ削除指示の送信に用いる報知情報Ｂのフォーマット例を示す。
【図８Ｃ】図８Ｃは、報知情報Ａと報知情報Ｂとが集約された報知情報Ｃのフォーマット例を示す。
【図９】図９は、特定基地局のＣＰＵによって実行されるＣＳＧ−ＩＤ格納指示の送信処理の例を示すフローチャートである。
【図１０】図１０は、一般無線端末におけるＣＳＧ−ＩＤ格納処理の例を示すフローチャートである。
【図１１】図１１は、待ち受けセル決定処理の例を示すフローチャートである。
【図１２】図１２は、アタッチ手順の例を示すシーケンス図である。
【図１３】図１３は、特定基地局におけるメッセージ受信時の処理例を示すフローチャートであり、図１２＜２＞〜＜４＞の詳細を示す。
【図１４】図１４は、ＣＳＧ−ＩＤ削除時の動作を示すシーケンス図である。
【図１５】図１５は、第２のＣＳＧ−ＩＤ削除処理（第２の削除処理）の処理例を示すフローチャートである。
【図１６】図１６は、第３のＣＳＧ−ＩＤ削除処理（第３の削除処理）の処理例を示すフローチャートである。
【図１７】図１７は、第４のＣＳＧ−ＩＤ削除処理（第４の削除処理）の処理例を示すフローチャートである。
【図１８】図１８は、第５のＣＳＧ−ＩＤ削除処理（第５の削除処理）の処理例を示すフローチャートである。
【図１９】図１９は、第２実施形態における動作例を示すシーケンス図である。
【図２０Ａ】図２０Ａは、一般無線端末に対する通信の許容又は禁止を示す報知情報Ｄのフォーマット例を示す。
【図２０Ｂ】図２０Ｂは、報知情報Ａと報知情報Ｄとが集約された報知情報Ｅのフォーマット例を示す。
【図２１】図２１は、第２実施形態における待ち受けセル決定処理の例を示すフローチャートである。
【図２２】図２２は、第３実施形態における特定基地局として適用可能な基地局の構成例を示す。
【図２３】図２３は、第３実施形態における一般無線端末として適用可能な無線端末の構成例を示す。
【図２４】図２４は、第３実施形態における一般無線端末が特定基地局のＣＳＧセルを待ち受けセルに設定するときの動作を示すシーケンス図である。
【図２５】図２５は、第３実施形態に係る他の形態を示すシーケンス図である。
【図２６】図２６は、第４実施形態における一般無線端末として適用可能な無線端末の構成例を示す。
【図２７】図２７は、第４実施形態において一般無線端末が特定基地局のＣＳＧセルを待ち受けセルに設定するときの動作を示すシーケンス図である。
【発明を実施するための形態】
【００１７】
以下の実施形態では、開始指示を受けた後の所定期間に一般無線端末からのアクセス権情報を受け付けた（受理した）場合に限って当該一般無線端末による利用（当該一般無線端末の接続）を許容する特定基地局について説明する。
【００１８】
上記特定基地局によれば、特定基地局への接続が許容される一般無線端末が所定期間内にアクセス権情報を受け付けた一般無線端末に制限される。これによって、特定基地局への一般無線端末の接続数を抑制することができる。従って、ハイブリッドモード下で生じ得る課題、すなわち、収容能力を上回る無線接続要求の発生に伴う問題や、特定基地局への無線端末の接続数増加による負荷増大によって生じる問題を回避することができる。
【００１９】
以下、図面を参照して実施形態の詳細について説明する。実施形態の構成は例示であり、本発明は実施形態の構成に限定されない。
【００２０】
〔実施形態１〕
＜ネットワーク構成＞
図１は、実施形態に係る適用される無線通信システム（無線アクセスシステム、移動通信システム）の構成例を示す。無線通信システムの一例として、ＬＴＥに準拠するシステム構成例を示す。
【００２１】
ＬＴＥのネットワーク（移動通信網の一例）は、基地局（ｅＮＢ）によって形成される無線ネットワークと、無線ネットワークと接続されたコアネットワークとを含む。コアネットワークは、Evolved Packet Core（ＥＰＣ）又は System Architecture Evolution（
ＳＡＥ）と呼ばれる。無線ネットワークは、Evolved Universal Terrestrial Radio Network （eUTRAN）と呼ばれる。
【００２２】
図１には、コアネットワーク１と、マクロセルＣ１を形成する一般基地局２と、ＣＳＧセルＣ２を形成する特定基地局３と、無線端末５とが例示されている。一般基地局２は、例えば、公衆無線網の基地局である。一般基地局２は、通常、特定基地局３によって形成されるＣＳＧセルＣ２より大きいセル（マクロセルＣ１）を形成することから、マクロセル基地局と呼ばれる。一般基地局２は、無線端末５がＣＳＧに属するか否かと無関係に利用することができる。
【００２３】
特定基地局３は、ＣＳＧと呼ばれるグループが設定された基地局である。無線端末５は、特定基地局３に設定されたＣＳＧに属する無線端末５Ａと、特定基地局３に設定されたＣＳＧに属しない無線端末５Ｂとに分けられる。ＣＳＧに属することは特定基地局３に対するアクセス権を有する（特定基地局３に登録されている）ことを意味する。一方、ＣＳＧに属しないことは特定基地局３に対するアクセス権を有しない（特定基地局３に登録されていない）ことを意味する。
【００２４】
以下、無線端末５Ａを「特定無線端末５Ａ」と表記し、無線端末５Ｂを「一般無線端末５Ｂ」と表記する。また、特定無線端末５Ａと一般無線端末５Ｂとを区別しない場合には、無線端末５との表記を用いる。
【００２５】
特定基地局３は、ＣＳＧモードとハイブリッドモードとを含む少なくとも２つのモードで動作する。ＣＳＧモードでは、特定基地局３の周辺に存在する無線端末５のうち、特定無線端末５Ａに対して特定基地局３の利用が許容される。これに対し、ハイブリッドモードでは、特定無線端末５Ａだけでなく一般無線端末５Ｂにも特定基地局３（ＣＳＧセルＣ２）の利用が開放される。
【００２６】
特定基地局３は、マクロセルＣ１内の不感地対策や、通信容量の増加のような様々な目的を以て設置される。本実施形態において、特定基地局３は、屋内に配置され、或る管理者によって管理されるＨｅＮＢを想定している。
【００２７】
但し、特定基地局３の設置位置は、屋内であっても屋外であっても良い。また、特定基地局３によって形成されるセルのサイズ（セル半径）も問わない。特定基地局３には、フェムト基地局やピコ基地局の他、フェムトセルやピコセルよりセル半径の大きいセルを形成する基地局も含まれる。また、特定基地局３の設置目的は、個人利用であっても公衆利用であっても良い。
【００２８】
コアネットワーク１は、外部ネットワーク４と接続される。外部ネットワーク４は、例えば、インターネットやイントラネットを含む。コアネットワーク１には、「コアネットワーク装置」と呼ばれる複数の装置が設置される。
【００２９】
図１には、主たるコアネットワーク装置として、Mobility Management Entity（ＭＭＥ）７と、サービングゲートウェイ（Ｓ−ＧＷ）８と、Ｓ−ＧＷ８と接続されたパケットデータネットワークゲートウェイ（Ｐ−ＧＷ）９とを含んでいる。ＭＭＥ７は、Home Subscriber Server(ＨＳＳ)１０と接続される。
【００３０】
ＭＭＥ７は、ネットワーク制御を扱うＣプレーン（Control plane）のアクセスゲート
ウェイである。ＭＭＥ７は、シーケンス制御及びハンドオーバ制御，無線端末５の待ち受け時の位置管理（無線端末５の位置登録），基地局装置（一般基地局２，特定基地局３）に対する着信時の呼び出し（ページング），無線端末５の認証（ＮＡＳ（Non Access Stratum））などを行う。ＭＭＥ７は、位置管理及び認証処理をHome Subscriber Server(Ｈ
ＳＳ)１０との連携で行う。ＨＳＳ１０は、ユーザ（加入者）の契約情報や認証用情報を
記憶するとともに、無線端末５の位置情報を記憶（登録）するサーバである。
【００３１】
Ｓ−ＧＷ８は、ユーザデータ（ユーザパケット）を扱うゲートウェイであり、ＬＴＥのユーザデータを２Ｇ（例えばＧＳＭ（登録商標）など）や３Ｇ（Ｗ−ＣＤＭＡ）のシステムに接続する処理を行う。Ｐ−ＧＷ９は、ユーザデータを外部ネットワーク４に接続するためのゲートウェイである。Ｐ−ＧＷ９は、課金用データ収集，Quality of Service(Ｑ
ｏＳ)制御，パケットフィルタリングなどを行う。
【００３２】
なお、ネットワーク構成として、ＬＴＥに係るネットワーク構成について説明しているが、これは例示である。ＬＴＥ以外の通信規格に準拠する無線ネットワークにおいて、或る基地局を利用可能な無線端末が特定の無線端末に制限されるような基地局に関して以下の実施形態の構成を適用することができる。
【００３３】
＜基地局のハードウェア構成例＞
図２は、一般基地局２及び特定基地局３として使用可能な基地局装置２０のハードウェア構成例を示す図である。図２において、基地局装置２０（以下基地局２０）は、内部スイッチ（ＳＷ）２１と、内部スイッチ２１に接続されたネットワークプロセッサ（ＮＰ）２２と、コンパクトフラッシュ（登録商標）（ＣＦ）２３とを含んでいる。ＮＰ２２は、インタフェースモジュール２４（Ｉ／Ｆ２４）と接続されており、Ｉ／Ｆ２４は、コアネットワーク１と接続される通信回線（Ｓ１回線）を収容している。なお、基地局２０は、Ｓ１回線中のＳ１−ＭＭＥインタフェースを介してＭＭＥ７と接続される。また、基地局２０は、Ｓ１回線中のＳ１−Ｕインタフェースを介してＳ−ＰＷ８と接続される。
【００３４】
また、基地局２０は、ＳＷ２１に接続されたCentral Processing Unit（ＣＰＵ）２５
と、Digital Signal Processor（ＤＳＰ）２６と、Field Programmable Gate Array（Ｆ
ＰＧＡ）２７とを含んでいる。ＣＰＵ２５は、メモリ２８と接続されている。ＦＰＧＡ２７は、Radio Frequency（ＲＦ）回路２９と接続されており、ＲＦ回路２９は、送受信ア
ンテナ３０と接続されている。ＲＦ回路２９は、送信装置の一例である。
【００３５】
基地局２０は、Ｕプレーンに係る処理と、Ｃプレーン（制御プレーン）に係る処理とを行う。Ｕプレーンに係る処理は、例えば、無線端末５（ユーザ）から受信されるデータ（ユーザデータ）をコアネットワーク１へ転送する処理（アップリンク送信）と、コアネットワーク１から受信されるユーザデータを無線端末５へ転送する処理（ダウンリンク送信）とを含む。Ｃプレーンに係る処理は、ＭＭＥ７などとの制御信号の送受信，無線端末５との制御信号の送受信，及びＭＭＥ７や無線端末５から受信される制御信号を用いた基地
局２０の動作の制御を含む。
【００３６】
ＳＷ２１は、ＳＷ２１に接続された各回路間の信号の送受信処理を司る。ＮＰ２２及びＩ／Ｆ２４は、コアネットワーク１との回線インタフェースとして機能する。ＮＰ２２は、例えば、Ｉ／Ｆ２４で受信された信号中のInternet Protocol （ＩＰ）パケットや、Ｉ／Ｆ２４へ送信するＩＰパケットに関する処理（ＩＰプロトコル処理）を行う。Ｉ／Ｆ２４は、ＮＰ２２から受信されるＩＰパケットをコアネットワーク１へ送信するための信号に変換する処理や、コアネットワーク１から受信される信号をＩＰパケットに変換する処理などを行う。
【００３７】
ＤＳＰ２６は、ユーザデータに対するディジタルベースバンド処理（ＢＢ処理）を行うＢＢ処理部として動作する。例えば、ＤＳＰ２６は、ＮＰ２２からＳＷ２１を介して受信されるユーザデータや制御信号（制御情報）にディジタル変調を施してベースバンド信号（ＢＢ信号）に変換する処理や、ＦＰＧＡ２７からＳＷ２１を介して受信されるＢＢ信号の復調処理を行ってユーザデータや制御信号（制御情報）を得る処理を行う。
【００３８】
ＦＰＧＡ２７は、アナログＢＢ処理として、直交変復調処理を行う直交変復調部として動作する。すなわち、ＦＰＧＡ２７は、ＤＳＰ２６からＳＷ２１を介して受信されるＢＢ信号に対する直交変調処理を行い、ＢＢ信号をアナログ信号に変換し、ＲＦ回路２９に送る。一方、ＦＰＧＡ２７は、ＲＦ回路２７から受信されるアナログ信号に対する直交復調処理を行い、アナログ信号をＢＢ信号に変換し、ＤＳＰ２６へ送る。
【００３９】
ＲＦ回路２９は、ダウンリンク方向（基地局２０→無線端末５）とアップリンク方向（無線端末５→基地局２０）との無線処理を司る。ダウンリンク方向に関して、ＲＦ回路２９は、アップコンバータとパワーアンプ（ＰＡ）とを含む。アップリンク方向に関しては、ＲＦ回路２９は、ローノイズアンプ（ＬＮＡ）とダウンコンバータとを含む。ダウンリンク及びアップリンクに共通の構成要素として、ＲＦ回路２９は、デュプレクサを含み、デュプレクサは送受信アンテナ３０に接続されている。
【００４０】
アップコンバータは、ＦＰＧＡ２７から受信されるアナログ信号（ＲＦ信号）を電波の周波数にアップコンバートする。ＰＡは、アップコンバートされた信号を増幅する。デュプレクサは、増幅された信号を送受信アンテナ３０に接続し、送受信アンテナ３０は、電波を放射する。放射された電波でセルが形成され、無線端末５で受信される。
【００４１】
送受信アンテナ３０で受信された電波は、デュプレクサを介してＬＮＡへ入力され、ＬＮＡで低雑音増幅される。低雑音増幅された信号は、ダウンコンバータでアナログ信号（ＲＦ信号）の周波数にダウンコンバートされる。ダウンコンバートされた信号は、ＦＰＧＡ２７に入力される。
【００４２】
メモリ２８は、主記憶装置の一例であり、例えば、Random Access Memory（ＲＡＭ）及びRead Only Memory（ＲＯＭ）を含む。メモリ２８は、ＣＰＵ２５の作業領域として使用される。ＣＦ２３は、補助記憶装置の一例であり、基地局２０の動作の制御に用いるデータや、ＣＰＵ２５，ＤＳＰ２６によって実行されるプログラムを記憶する。データは、例えば、同期信号（Synchronization Signal）に含まれる情報や、報知情報として報知（Broadcast）される情報を含む。
【００４３】
報知情報は、Master Information Block（ＭＩＢ）情報と呼ばれる、システム帯域幅やシステムフレーム番号（ＳＦＮ），送信アンテナ数の様な基本情報を含む。また、報知情報は、ＭＩＢ情報以外のSystem Information Block（ＳＩＢ）情報（システム情報（ＳＩ）とも呼ばれる）を含む。
【００４４】
ＳＩは、Cell Global Identity（ＣＧＩ），Tracking Area Identity（ＴＡＩ），ＣＳＧ−ＩＤなどを含む。ＣＧＩは、全世界でセルを一意に識別できる識別子である。ＴＡＩは、ＬＴＥで位置登録を行うエリア単位である。ＣＳＧ−ＩＤは、ＣＳＧの識別子である。さらに、ＳＩには、特定基地局３のモード（ＣＳＧ／ハイブリッド）を示す情報や、後述するＣＳＧ−ＩＤ格納指示、ＣＳＧ−ＩＤ削除指示のような、報知情報として報知（広告）される様々な情報を含む。
【００４５】
ＣＰＵ２５は、ＭＭＥ７や無線端末５との制御信号（制御情報）のやりとりを通じて、Ｃプレーンに係る様々な処理を行う。例えば、ＣＰＵ２５は、無線端末５の呼処理（アタッチ，発信，着信，デタッチ）や、基地局２０の保守運用（operation administration and maintenance（ＯＡＭ））処理を行う。また、ＣＰＵ２５は、同期信号や報知情報の送信制御や、ハンドオーバに係る処理を行う。
【００４６】
入力装置３１は、キー，ボタン，タッチパネル,マイクロフォンの少なくとも１つを含
み、情報の入力に使用される。本実施形態では、入力装置３１は、特定基地局３のオペレータ（例えば管理者）特定基地局３への接続を一般無線端末５Ｂに許容するための操作入力を行うために用いられる。例えば、入力装置３１は、所定期間計時の開始指示，所定の報知情報の送信開始指示，所定期間計時や報知情報の送信の停止指示の入力に使用される。
【００４７】
出力装置３２は、ディスプレイ，ランプ，スピーカ，バイブレータの少なくとも１つを含み、情報の出力を行う。本実施形態では、例えば、出力装置３２は、ＣＳＧ−ＩＤの格納指示や削除指示の送信期間の開始及び終了を示す情報を、情報の表示やランプの点灯又は点滅，バイブレータの振動などによって出力する。
【００４８】
基地局２０は、図示しないが、情報処理装置（例えば、パーソナルコンピュータ（（ＰＣ），ワークステーション（ＷＳ）、タブレット端末，無線端末など）との通信インタフェース（有線又は無線の少なくとも一方）を有することができる。この場合、入力装置３１から入力される情報と同等の情報を含んだ信号を、情報処理装置からネットワーク（通信路）を介して基地局２０で受信することができる。この場合、入力装置３１は省略可能である、また、出力装置３２からの出力内容（例えば、ディスプレイへの表示情報）が、情報処理装置に送信され、報処理装置が備える表示装置に表示されるようにしても良い。この場合、出力装置３２は省略可能である。
【００４９】
また、特定基地局３として使用される基地局２０は、ＳＷ２１とＲＦ回路２９とに接続された電力制御回路３３を含む。電力制御回路３３は、ＣＰＵ２５からの指示に従って、ＲＦ回路２９が送受信アンテナ３０から電波を送信するときの送信電力を制御する。基地局２０は、基地局２０の周辺に位置する無線端末５に向けて様々な報知情報を送信する。電力制御回路３３は、後述するＣＳＧ−ＩＤ格納指示を含む報知情報が送信されるときの送信電力を、他の報知情報（例えば、ＣＳＧモードを示す報知情報）の送信電力よりも低下させる。
【００５０】
図３は、特定基地局３として使用される基地局２０のＣＰＵ２５で実行される処理を模式的に示す図である。ＣＦ２３及びメモリ２８の少なくとも一方は、報知情報データベース（報知情報ＤＢ）２３１と、ＣＳＧメンバリスト２３２と、アクセス権管理テーブル２３３とを記憶する。図３には、ＣＦ２３に報知情報ＤＢ２３１と、ＣＳＧメンバリスト２３２と、アクセス権管理テーブル２３３が記憶された例を示す。
【００５１】
報知情報ＤＢ２３１は、無線端末５に報知される同期信号や報知情報に含められる情報
（ＭＩＢ情報、ＳＩＢ情報など）を記憶する。ＣＳＧメンバリスト２３２は、特定基地局３に設定されたＣＳＧに属する特定無線端末５Ａ（ＣＳＧメンバ：ＣＳＧユーザ）を示すリストである。ＣＳＧメンバリスト２３２には、例えば、１又は２以上の特定無線端末５Ａの識別子（端末ＩＤ）が記憶されている。
【００５２】
アクセス権管理テーブル２３３は、特定無線端末５Ａ（ＣＳＧユーザ）と、特定基地局３の一時的な利用が許容される一般無線端末５Ｂ（テンポラリユーザ）とを管理するためのテーブルである。
【００５３】
図４は、アクセス権管理テーブル２３３のデータ構造例を示す。図４において、ＣＳＧユーザとテンポラリユーザとのそれぞれに関して、端末ＩＤ（ＵＥ−ＩＤ），在圏フラグ，テンポラリフラグ，及びタイムスタンプを記憶する。
【００５４】
端末ＩＤは、ＣＳＧユーザ（特定無線端末５Ａ）及びテンポラリユーザ（一般無線端末５Ｂ）の識別子である。在圏フラグは、各ユーザ（無線端末５）が特定基地局３のセルＣ１（以下「ＣＳＧセルＣ２」と表記）に在圏しているか否かを示す。例えば、在圏フラグは、“１”のときに在圏を示し、“０”のときに圏外を示す。但し、“１”と“０”との意味が逆であっても良い。テンポラリフラグとして、特定無線端末５Ａに対して“０”が設定され、一般無線端末５Ｂに対して“１”が設定される。テンポラリフラグによって、無線端末５がＣＳＧユーザかテンポラリユーザかが区別される。タイムスタンプは、オプションであり、例えば、各無線端末５の在圏時における日時又は時刻が記憶される。
【００５５】
なお、本実施形態では、ＣＳＧメンバリスト２３２とアクセス権管理テーブル２３３とを用意し、ＣＳＧメンバリスト２３２にてＣＳＧメンバのマスタデータを記憶し、アクセス権管理テーブル２３３には、ＣＳＧメンバのうち特定基地局３に実際に在圏したＣＳＧメンバが記録される構成を採用する。但し、アクセス権管理テーブル２３３のＣＳＧユーザとして、ＣＳＧメンバリスト２３２に登録された全てのＣＳＧメンバのエントリを登録し、ＣＳＧメンバリスト２３２が省略されるようにしても良い。
【００５６】
ＣＰＵ２５は、ＣＦ２３に記憶されたプログラムをメモリ２８にロードして実行することによって、少なくとも、図３に示すような報知情報送信処理と通信制御とを行う。報知情報送信処理において、ＣＰＵ２５は、報知情報ＤＢ２３１に記憶された情報を用いて、同期信号や各種の報知情報を生成し、ＢＢ処理部としてのＤＳＰ２６に与える。同期信号や報知情報はＢＢ処理において、無線フレーム上の所定位置（チャネル上）にマッピングされて送信される。
【００５７】
また、ＣＰＵ２５は、通信制御において、無線端末５と特定基地局３との無線接続処理（ＲＲＣ（Radio Resource Control）接続処理：ランダムアクセス）を行う。また、ＣＰＵ２５は、通信制御において、アタッチ処理（位置登録及びベアラ設定処理），デタッチ処理（切断処理），発信処理，着信処理のような呼処理を行う。ベアラはユーザデータの伝送路を示す。また、ＣＰＵ２５は、通信制御において、一般無線端末５ＢからのＣＳＧ-ＩＤ（アクセス権情報の一例）の受け付けに係る処理を行う。
【００５８】
＜無線端末の構成例＞
図５は、無線端末５に適用可能な無線端末４０のハードウェア構成例を示す。無線端末４０は、バスＢ１を介して相互に接続された出力装置４３，入力装置４４，フラッシュメモリ４５，ＣＰＵ４６，メモリ４７，ＤＳＰ４８，ＦＰＧＡ４９，及びＲＦ回路５０を含んでいる。ＲＦ回路５０は、送受信アンテナ５１に接続されている。
【００５９】
出力装置４３は、ディスプレイ装置，及び音声出力装置（スピーカ）とを含む。出力装
置４３として、ランプやバイブレータを含むこともできる。入力装置４４は、ボタン，キー，タッチパネルの少なくとも１つと、音声入力装置（マイクロフォン）とを含む。フラッシュメモリ４５は、補助記憶装置の一例であり、ＣＰＵ４６やＤＳＰ４８によって実行されるプログラムや、プログラムの実行に際して使用されるデータを記憶する。
【００６０】
ＣＰＵ４６は、フラッシュメモリ４５に記憶された様々なプログラム（アプリケーション）を実行する。これによって、通話機能，Ｗｅｂ端末機能，メール機能のような様々な機能を実行する。メモリ４７は、主記憶装置の一例であり、例えば、ＲＯＭ／ＲＡＭである。メモリ４７は、ＣＰＵ４６の作業領域として使用される。
【００６１】
ＤＳＰ４８は、図４に示したＤＳＰ２６と同様に、ディジタルベースバンド処理を行うＢＢ処理部として動作する。ＦＰＧＡ４９は、ＦＰＧＡ２７（図４）と同様に、直交変復調部として動作する。ＲＦ回路５０は、ＲＦ回路２９と同様の構成及び機能を有し、無線信号に係る処理を行う。送受信アンテナ５１は、基地局２０と無線信号の送受信を行う。
【００６２】
図６は、一般無線端末５Ｂとして使用される無線端末４０のＣＰＵ４６によって実行される処理を模式的に示す。フラッシュメモリ４５又はメモリ４７（例えばメモリ４７）には、特定基地局３から受信されるＣＳＧ−ＩＤを記憶するＣＳＧ−ＩＤ記憶領域４７１が設けられている。
【００６３】
本実施形態において、ＣＳＧ−ＩＤ記憶領域４７１に記憶されるＣＳＧ−ＩＤは、一般基地局５Ｂによる特定基地局３の利用が許容されることを示すアクセス権情報として使用される。すなわち、ＣＳＧ−ＩＤは、「アクセス権情報」の一例である。但し、「アクセス権情報」は、ＣＳＧ−ＩＤ以外の情報であっても良く、ＣＳＧ−ＩＤとＣＳＧ−ＩＤ以外の情報との組み合わせであっても良い。
【００６４】
ＣＰＵ４６は、フラッシュメモリ４５に記憶されたプログラムをメモリ４７にロードして実行することによって、少なくとも、報知情報受信処理と、ＣＳＧ−ＩＤ管理と、待ち受けセル決定処理と、通信制御とを行う。報知情報受信処理において、ＣＰＵ４６は報知情報の解釈を行う。ＣＳＧ−ＩＤ管理では、ＣＰＵ４６は、報知情報に含まれるＣＳＧ−ＩＤ格納指示に従ってＣＳＧ−ＩＤをＣＳＧ−ＩＤ記憶領域４７１に格納（記憶）する。また、ＣＳＧ−ＩＤ管理において、ＣＰＵ４６は、報知情報に含まれるＣＳＧ−ＩＤ削除指示に従ってＣＳＧ−ＩＤ記憶領域４７１に記憶されたＣＳＧ−ＩＤを削除する。
【００６５】
また、ＣＰＵ４６は、待ち受けセル決定処理において、一般無線端末５Ｂの待ち受けセルを決定する。また、ＣＰＵ４６は、通信制御において、待ち受けセルとして決定されたセルを形成する基地局との無線接続（ＲＲＣ接続）を行うためのランダムアクセスに係る処理を行う（無線接続要求メッセージ（RACH preamble）の送信など）。
【００６６】
また、ＣＰＵ４６は、通信制御として、無線接続を行った基地局を介して一般無線端末５Ｂを位置登録するともに、ベアラを設定するアタッチ手順に係る処理を行う。アタッチ手順は、無線端末５をネットワークに登録するための手順であり、無線端末５の位置登録を含む。
【００６７】
また、ＣＰＵ４６は、入力装置４４を用いた発信操作に応じて、発信要求（Service  Request）の送信を含む発信処理を行う。また、ＣＰＵ４６は、着信処理として、基地局からの呼び出し信号（ページング信号）の受信時に、出力装置４３の呼び出し動作（例えば、呼び出し音出力、ディスプレイ表示、バイブレータを用いた振動）を制御する。また、着信処理として、ＣＰＵ４６は、入力装置４４を用いた応答操作に応じて応答信号を基地局へ送信する。また、通信制御において、特定基地局３への接続が許容されたか否かの判
定（チェック）処理が実行される。
【００６８】
ＣＰＵ４６は、通信制御に係る所定のメッセージ（制御メッセージ）に、ＣＳＧ−ＩＤ記憶領域４７１に記憶されたＣＳＧ−ＩＤを含める。所定のメッセージは、例えば、アタッチ要求メッセージ（Attach Request）である。但し、アタッチ要求の代わりに発信要求メッセージにＣＳＧ−ＩＤが含まれるようにしても良い。或いは、アタッチ要求及び発信要求の双方にＣＳＧ−ＩＤが含まれるようにしても良い。
【００６９】
なお、図２及び図５に示したＣＰＵ２５，ＣＰＵ４６は、「プロセッサ」の一例であり、「プロセッサ」は、「制御装置」の一例である。各ＣＰＵ２５，４６によって実行される機能は、「制御装置」として機能するハードウェアのハードウェアロジック（ワイヤードロジック）によって実装されても良い。
【００７０】
「制御装置」として機能するハードウェアは、例えば、電気・電子回路，集積回路（例えば、ＩＣ，ＬＳＩ，Application Specific Integrated Circuit（ＡＳＩＣ）の少なく
とも一つ），及びＦＰＧＡのようなプログラマブルロジックデバイス（ＰＬＤ）の少なくとも一つによって形成される。このとき、一つのハードウェアが複数の機能を実行するようにしても良く、複数のハードウェアの組み合わせで一つの機能が実行されるようにしても良い。
【００７１】
また、図２に示したＣＦ２３及びメモリ２８，図５に示したフラッシュメモリ４５及びメモリ４７のそれぞれは、コンピュータ読み取り可能な記憶媒体である「記憶装置」又は「メモリ」の一例である。
【００７２】
＜動作例＞
以下、上述した無線通信システムにおける動作例について説明する。図７Ａ及び図７Ｂは、一般無線端末５Ｂが特定基地局３のＣＳＧセルＣ２を待ち受けセルに設定するときの動作を示すシーケンス図である。
【００７３】
図７Ａのシーケンスは、例えば、特定基地局３の管理者が一般無線端末５Ｂの所有者（例えば来客）に特定基地局３を用いた通信を許可したい場合を想定している。また、シーケンスの開始時点では、特定基地局３は、ＣＳＧモードで動作しており、特定基地局３の利用（接続）が特定無線端末５Ａに制限される状態となっている。ＣＳＧモード下では、特定基地局３は、ＣＳＧセルＣ２にＣＳＧモードであることを示す報知情報を送信する（図７Ａ＜１＞）。
【００７４】
図８Ａは、ＣＳＧモードかハイブリッドモードかを示す報知情報Ａのフォーマット例を示す。報知情報Ａは、ＣＳＧ−ＩＤと、モードがＣＳＧモードかハイブリッドモーとかを示す１ビット（ＣＳＧ／Hybridビット）とを含む。例えば、ビット値“０”はＣＳＧモードを示し、ビット値“１”はハイブリッドモードを示す。なお、報知情報は、特定基地局３において、ＰＤＳＣＨ（Physical Downlink Shared Channel）にマッピングされて送信される。
【００７５】
図７Ａ＜１＞では、ＣＳＧ／Hybridビット“０”の報知情報Ａが送信される。一般無縁端末５Ｂは、セルサーチの結果として特定基地局３と同期し、報知情報Ａを受信することができる。一般無線端末５Ｂは、報知情報ＡのＣＳＧ−ＩＤ及びＣＳＧ／Hybridビットを参照する。
【００７６】
このとき、一般無線端末５Ｂは、一般無線端末５ＢがＣＳＧ−ＩＤで示されるＣＳＧに属しておらず、且つ特定基地局３のモードがＣＳＧモードであることから、特定基地局３
の利用が許容されない（待ち受けセルとできない）との判断の下に、報知情報Ａを破棄する。このため、一般無線端末５Ｂは、ＣＳＧ／Hybridビット以降のＳＩＢ情報の解釈や、当該解釈に基づく処理を実行しない。
【００７７】
特定基地局３の管理者は、入力装置３１（図２）の操作によって、ＣＳＧ−ＩＤ格納指示送信のトリガを発生させる（図７Ａ＜２＞）。トリガは、例えば、入力装置３１として特定基地局３に設けられた所定のボタン又はキー（タッチパネル上のものでも良い）が押されることによって発生する。このとき、特定基地局３の利用を許容させたい一般無線端末５Ｂは、特定基地局３からの電波を受信できる位置（例えば、特定基地局３近傍）に置かれる。
【００７８】
特定基地局３のＣＰＵ２５は、トリガ（送信開始指示）を検知して、ＣＳＧ−ＩＤ格納指示の送信処理を開始し（図７Ａ＜３Ａ＞）、タイマＴ１及びタイマＴ２を起動する（図７Ａ＜３Ｂ＞）。タイマＴ１は、ＣＳＧ−ＩＤ格納指示を送信する所定期間を計時する。タイマＴ２は、一般無線端末５Ｂから送信されるＣＳＧ−ＩＤ（アクセス権情報）を受け付ける所定期間（アクセス権情報の受け付け期間）を計時する。
【００７９】
なお、図７Ａに示す動作例では、１つのトリガによってタイマＴ１及びタイマＴ２の双方が起動する例を示している。特定基地局３のオペレータの操作手順の数を減らすためである。但し、タイマＴ２（受け付け期間計時の開始）は、ＣＳＧ−ＩＤ格納指示の送信開始トリガとは別に入力装置３１から入力又はネットワークから受信される別のトリガ（受け付け期間の開始指示）によって起動（開始）されるようにしても良い。換言すれば、タイマＴ１とタイマＴ２とは、個別の操作（開始指示の入力）によって個別のタイミングで計時を開始するようにすることができる。
【００８０】
送信処理によって、特定基地局３は、ハイブリッドモードであることを示す報知情報Ａを送信し、続いてＣＳＧ−ＩＤ格納指示が含まれた報知情報を送信する動作を或る周期で繰り返す状態となる（図７Ａ＜４＞）。なお、＜３Ｂ＞と＜４＞との順序は逆でも良い。
【００８１】
図８Ｂは、ＣＳＧ−ＩＤ格納指示及びＣＳＧ−ＩＤ削除指示の送信に用いる報知情報Ｂのフォーマット例を示す。報知情報Ｂは、ＣＳＧ−ＩＤと、ＣＳＧ−ＩＤ格納指示のオン／オフを示す１ビット（格納ビット）と、ＣＳＧ−ＩＤ削除指示のオン／オフを示す１ビット（削除ビット）とを含む。格納ビットが“１”で削除ビットが“０”であるとき、当該報知情報はＣＳＧ−ＩＤ格納指示を示す。格納ビットが“０”で削除ビットが“１”のとき、当該報知情報はＣＳＧ−ＩＤ削除指示を示す。
【００８２】
なお、図８Ｂに示す報知情報は、既存の図８Ａの報知情報との連携で使用される新たなＳＩＢ情報として定義される。但し、図８Ｃに示すように、図８Ａに示した報知情報Ａと図８Ｂに示した報知情報Ｂとが集約された報知情報Ｃを適用することも可能である。
【００８３】
図７Ａに戻って、報知情報Ａ（ハイブリッドモード）を受信した一般無線端末５Ｂは、報知情報ＡのＣＳＧ／Hybridビットの参照によって、特定基地局３がハイブリッドモードであると認識する。すると、一般無線端末５Ｂは、後続するＳＩＢ情報を参照・解釈する状態となる。当該状態で報知情報Ｂ（ＣＳＧ−ＩＤ格納指示）を受信することで、一般無線端末５Ｂは、ＣＳＧ−ＩＤの格納処理を行い、ＣＳＧ−ＩＤ記憶領域４７１にＣＳＧ−ＩＤを格納する（図７Ａ＜５＞）。
【００８４】
一般無線端末５Ｂは、ＣＳＧ−ＩＤを格納すると、待ち受けセル決定処理を実行する（図７Ａ＜６＞）。一般無線端末５Ｂは、ＣＳＧ−ＩＤの格納によって特定無線端末５Ａと同様の動作を行う（ＣＳＧセルＣ２を待ち受けセルの候補に加える）状態となる。従って
、一般無線端末５Ｂは、特定基地局３からの電波の受信状況に応じて、特定基地局３のＣＳＧセルＣ２を待ち受けセルとすることができる。例えば、セルサーチによって特定基地局３からの受信電波強度が、ＣＳＧセルＣ２の周辺セルからの受信電波強度より高いときに、一般無線端末５Ｂは、ＣＳＧセルＣ２を待ち受けセルにする。
【００８５】
特定基地局３は、タイマＴ１が満了すると、ＣＳＧ−ＩＤ格納指示の送信処理を終了する（図７Ａ＜７＞）。その後、特定基地局３は、再び報知情報Ａ（ＣＳＧモード）を送信する状態に戻る（図７Ａ＜８＞）。
【００８６】
一方、一般無線端末５Ｂは、ＣＳＧセルＣ２を待ち受けセルに決定すると、特定基地局３との無線接続手順（無線リンク確立手順：図示せず）を実行する。無線リンクが確立されると、一般無線端末５Ｂは、ＣＳＧ−ＩＤを含む所定のメッセージを生成し、特定基地局３へ送信する（図７Ａ＜９＞）。ＣＳＧ−ＩＤを含む所定のメッセージは、特定基地局への接続の許容要求に相当する。
【００８７】
続いて、一般無線端末５Ｂは、タイマＴ３を起動する（図７Ａ＜１０＞）。タイマＴ３は、ＣＳＧ−ＩＤを含む所定のメッセージ（許容要求）に対する応答を待ち受ける所定期間を計時するタイマである。
【００８８】
特定基地局３では、ＣＰＵ２５がタイマＴ２の満了前に一般無線端末５ＢからＣＳＧ−ＩＤを含む所定のメッセージを受け付けると、タイマＴ２が停止され、特定基地局３への一般無線端末５Ｂの接続を許容する状態となる（図７Ａ＜１１＞）。特定基地局３は、ＣＳＧ−ＩＤを含む所定のメッセージに対応する応答メッセージを一般無線端末５Ｂへ送信する（図７Ａ＜１２＞）。一般無線端末５Ｂでは、タイマＴ３の満了前に応答メッセージを受信すると、タイマＴ３を停止し、特定基地局３への接続が許容された状態を維持する。
【００８９】
図７Ｂのシーケンスは、ＣＳＧ−ＩＤを含むメッセージがタイマＴ２の満了前に特定基地局３で受け付けられなかったケースを示す。図７Ｂにおける＜１＞〜＜１０＞までの処理は図７Ａと同じである。但し、図７Ｂでは、ＣＳＧ−ＩＤを含む所定のメッセージがタイマＴ２の満了後に特定基地局３に到着している（図７Ｂ＜１０＞）。
【００９０】
この場合、特定基地局３のＣＰＵ２５は、ＣＳＧ−ＩＤの受け付けを拒否する（図７Ｂ＜１１＞）ＣＳＧ−ＩＤの受け付け拒否は、例えば、所定のメッセージを拒絶することで行われる。このため、ＣＳＧ−ＩＤを含む所定のメッセージの応答メッセージが一般無線端末５Ｂに送信されない。
【００９１】
この結果、一般無線端末５Ｂでは、タイマＴ３が満了する。すると、一般無線端末５ＢのＣＰＵ４６は、ＣＳＧ−ＩＤを記憶領域４７１から削除する（図７Ｂ＜１２＞）。ＣＳＧ−ＩＤの削除によって、一般無線端末５Ｂは、ＣＳＧセルＣ２を待ち受けセルにできない状態となる。このため、一般無線端末５Ｂは、ＣＳＧセルＣ２以外のセルを待ち受けセルにするために、待ち受けセル決定処理を行う（図７Ｂ＜１３＞）。
【００９２】
なお、上述したタイマＴ１，タイマＴ２，タイマＴ３のそれぞれで計時される時間長は適宜の値に設定可能である。もっとも、タイマＴ１の時間長（第１の所定期間）は、所望の一般無線端末５Ｂが報知情報を受信し得る時間を考慮して決定される。タイマＴ２の時間長（第２の所定期間）は、所望の一般無線端末５ＢがＣＳＧ−ＩＤを格納してから所定のメッセージが特定基地局３で受け付けられるまでの時間を考慮して決定される。タイマＴ３（第３の所定期間）は、上記所定のメッセージが送信されてから応答が届くまでの時間を考慮して決定される。
【００９３】
また、図７Ａに示したＣＳＧ−ＩＤを含む所定のメッセージと応答とのやりとりは、新規の手順に従ってやりとりされるようにしても良い。或いは、ＣＳＧ−ＩＤが既存のメッセージに相乗りされ、既存のメッセージの応答がＣＳＧ−ＩＤの受け付け可否を示す応答を兼ねるようにしても良い。例えば、ＣＳＧ−ＩＤは、既存メッセージの一つであるアタッチ要求に相乗りされる。以下、図７Ａ及び図７Ｂに示した動作に関して特定基地局３のＣＰＵ２５及び一般無線端末５ＢのＣＰＵ４６のそれぞれで実行される処理について説明する。
【００９４】
＜＜ＣＳＧ−ＩＤ格納指示送信処理＞＞
図９は、特定基地局３のＣＰＵ２５によって実行されるＣＳＧ−ＩＤ格納指示の送信処理の例を示すフローチャートである。図９に示す処理は、例えば、ＣＰＵ２５が、入力装置３１から入力されるトリガ（開始指示）を検知することによって、開始される。なお、図９の処理の開始時点では、特定基地局３は、報知情報Ａ（ＣＳＧモード）を送信していることが想定されている。
【００９５】
最初の０１では、ＣＰＵ２５は、報知情報の送信電力の低下処理を行う。すなわち、ＣＰＵ２５は、電力制御回路３３に対し、送信電力低下指示を与える。電力制御回路３３は、ＲＦ回路２９から送信される報知情報の送信電力を低下させる。このとき、送信電力は、報知情報Ａ（ＣＳＧモード）の送信時における送信電力よりも低い送信電力に設定される。
【００９６】
従って、報知情報Ａ（ハイブリッドモード）及び報知情報Ｂ（ＣＳＧ−ＩＤ格納指示）は、報知情報Ａの送信電力より低い送信電力で送信される。これによって、報知情報Ａ及び報知情報Ｂの伝搬距離が報知情報Ａ（ＣＳＧモード）に比べて短くなる。従って、報知情報Ａ（ハイブリッドモード）及び報知情報Ｂ（ＣＳＧ−ＩＤ格納指示）の拡散範囲が狭められる。これによって、特定基地局３の管理者の意図しない一般無線端末５ＢがＣＳＧ−ＩＤを格納することを回避することができる。
【００９７】
次の０２では、ＣＰＵ２５は、タイマＴ１とタイマＴ２とを起動する。次の０３では、ＣＰＵ２５は、報知情報Ａ（ハイブリッド）の送信処理を行う。続いて、０４では、ＣＰＵ２５は、報知情報Ｂ（ＣＳＧ−ＩＤ格納指示）の送信処理を行う。０３及び０４の処理は、タイマＴ１が満了するまで繰り返される（０５）。
【００９８】
タイマＴ１が満了すると（０５のＹ）、ＣＰＵ２５は、報知情報Ａ（ハイブリッドモード）及び報知情報Ｂ（ＣＳＧ−ＩＤ格納指示）の送信を停止する。続いて、ＣＰＵ２５は、報知情報Ａ（ＣＳＧモード）の送信を再開する。そして、ＣＰＵ２５は、送信電力復帰指示を電力制御回路３３に与え、電力制御回路３３が、報知情報Ａ（ＣＳＧモード）の送信電力を元の送信電力に戻す。０９の処理が終了すると、処理がメッセージ受信時の処理（図１３）に進む。
【００９９】
なお、０２において起動されたタイマが満了する前に、入力装置３１の操作によって入力された送信処理終了のトリガをＣＰＵ２５が検知した場合には、タイマＴ１の満了を待たずに０６以降の処理が行われるようにしても良い。この場合、ＣＳＧ−ＩＤ格納指示の送信期間を短くすることができ、管理者の意図しない一般無線端末がＣＳＧ−ＩＤを記憶する可能性をさらに低減することができる。
【０１００】
＜＜ＣＳＧ−ＩＤ格納処理＞＞
図１０は、一般無線端末５ＢにおけるＣＳＧ−ＩＤ格納処理の例を示すフローチャートである。当該処理は、例えば、一般無線端末５Ｂのセルサーチ（００１）によって開始さ
れる。一般無線端末５Ｂは、セルサーチを通じて特定基地局３からの同期信号を受信し、無線フレーム同期を行う（００２）。これによって、一般無線端末５Ｂは、特定基地局３からの報知情報Ａを受信及び解釈可能な状態となる。
【０１０１】
次の００３で、特定基地局３からの報知情報Ａが受信されると、ＣＰＵ４６は、報知情報ＡのＣＳＧ／Hybridビットを参照し、モードがＣＳＧモードかハイブリッドモードかを判定する（００４）。
【０１０２】
モードがハイブリッドモードであれば（００４のＹ）、ＣＰＵ４６は、報知情報Ｂを待ち受ける状態となる。ＣＰＵ４６は、報知情報Ｂを受け取ると、報知情報ＢがＣＳＧ−ＩＤ格納指示か否かを判定する（００５）。
【０１０３】
このとき、報知情報Ｂを受け取ることができなかった場合、或いは、報知情報ＢがＣＳＧ−ＩＤ格納指示を示さない場合には（００５のＮ）、ＣＰＵ４６はＣＳＧ−ＩＤ格納処理を終了する。これに対し、ＣＰＵ４６は、ＣＳＧ−ＩＤ格納指示を示す報知情報Ｂを受け取った場合には（００５のＹ）、報知情報Ｂに含まれたＣＳＧ−ＩＤをＣＳＧ−ＩＤ記憶領域４７１（以下「記憶領域４７１」）に格納する（００６）。その後、図１０の処理が終了する。図１０に示す００７〜００９のＣＳＧ−ＩＤの削除処理については後述する。
【０１０４】
なお、ＣＳＧ−ＩＤが記憶領域４７１に記憶されたとき、及びＣＳＧ−ＩＤが記憶領域４７１から削除されたときの少なくとも一方について、ＣＳＧ−ＩＤの格納を示す情報が出力装置４３によって特定基地局３の管理者に報知（例えば表示）されるようにしても良い。この場合、特定基地局３の管理者は、出力装置４３に表示されたＣＳＧ−ＩＤの記憶完了を示す情報の参照を契機として、入力装置３１の操作によりＣＳＧ−ＩＤ格納指示の送信処理が停止されるようにしても良い。
【０１０５】
＜＜待ち受けセル決定処理＞＞
図１１は、一般無線端末５ＢのＣＰＵ４６によって実行される待ち受けセル決定処理の例を示すフローチャートである。図１１に示す処理は、適宜のタイミングで開始される。例えば、一般無線端末５Ｂの電源が投入されたときや、現在の待ち受けセルからの受信電波強度が所定値以下になったときに開始される。本実施形態では、さらに、ＣＳＧ−ＩＤが記憶領域４７１に記憶されたことを契機に待ち受けセル決定処理が開始される。
【０１０６】
０１１では、ＣＰＵ４６はセルサーチを行い、電波が受信された１又は２以上の基地局の中から、待ち受けセル候補のセルを形成する基地局を選択する。例えば、１又は２以上の基地局のうちで受信電波強度が大きい基地局のセルを待ち受けセル候補として決定する。
【０１０７】
ここで、特定基地局３を利用させたい一般無線端末５Ｂは、報知情報Ｂ（ＣＳＧ−ＩＤ格納指示）を受信するために、特定基地局３の近傍に置かれる。このため、特定基地局３からの受信電波強度は、周辺の一般基地局２からの受信電波強度より大きくなる。よって、特定基地局３のＣＳＧセルＣ２が待ち受けセル候補として選択される。
【０１０８】
その後、ＣＰＵ４６は、特定基地局３との無線フレーム同期を行い（０１２）、特定基地局３からの報知情報を受信する（０１３）。以上の０１１，０１２，０１３の処理は、図１０に示した０１，０２，０３と同じ処理である。
【０１０９】
０１４において、待ち受けセル候補の基地局からの報知情報を受け取ったＣＰＵ４６は、当該報知情報がＣＳＧセルからの報知情報か否かを判定する。当該判定は、報知情報に
ＣＳＧ−ＩＤが含まれているか否かによって行われる。
【０１１０】
報知情報がＣＳＧセルからの報知情報でないとき（一般基地局２からの報知情報であるとき、０１４のＮ）、ＣＰＵ４６は、当該一般基地局２のマクロセルＣ１を待ち受けセルとして決定し（０１８）、図１１の処理を終了する。
【０１１１】
これに対し、報知情報がＣＳＧセルからの報知情報である（０１４のＹ）には、ＣＰＵ４６は、記憶領域４７１にＣＳＧ−ＩＤが記憶されているか否かを判定する（０１５）。続いて、ＣＰＵ４６は、報知情報に含まれたＣＳＧ−ＩＤと記憶領域４７１に記憶されたＣＳＧ−ＩＤとを比較して両者が一致するか不一致かを判定する（０１６）。
【０１１２】
ＣＳＧ−ＩＤが一致するとき（０１６，一致）には、処理が０１８に進み、ＣＰＵ４６は、記憶領域４７１に記憶されたＣＳＧ−ＩＤを有する基地局、すなわち特定基地局３のＣＳＧセルＣ２を待ち受けセルとして決定し、処理を終了する。
【０１１３】
これに対し、ＣＳＧ−ＩＤが不一致であるとき（０１６，不一致）場合には、報知情報の送信元がハイブリッドモードか否かを判定する（０１７）。このとき、送信元がハイブリッドモードでなければ（０１７のＮ）、処理が０１１に戻る。待ち受けセル候補の基地局がＣＳＧモードで動作する特定基地局であるため、他のセルを待ち受けセルにするためである。これに対し、送信元がハイブリッドモードであれば、ＣＰＵ４６は、当該送信元の基地局をマクロセル基地局（一般基地局２）として扱い、当該送信元のセルを待ち受けセルとして決定し、処理を終了する。
【０１１４】
但し、ＣＰＵ４６は、図１０の処理にてＣＳＧ−ＩＤを記憶領域４７１に格納したときには、直ちに特定基地局３のセルを待ち受けセルとして決定する（０１１〜０１７の処理を省略して０１８の処理を行う）ようにしても良い。
【０１１５】
なお、図１１に示す処理は、特定無線端末５Ａで実行される待ち受けセルの決定処理とほぼ同様の処理である。例えば、特定無線端末５Ａは、特定無線端末５Ａ自身が属するＣＳＧのＣＳＧ−ＩＤを予め記憶している。特定無線端末５Ａは、予め記憶されたＣＳＧ−ＩＤを用いて、図１１に示す処理を実行することで、特定基地局３を待ち受けセルにすることができる。
【０１１６】
＜＜アタッチ手順＞＞
特定基地局３のＣＳＧセルＣ２を待ち受けセルに決定した一般無線端末５Ｂは、特定基地局３に対するランダムアクセス手順を行い、ＲＲＣ（Radio Resource Control）コネクション（無線リンク）を確立する。これによって、一般無線端末５Ｂが特定基地局３と無線接続された状態となる。
【０１１７】
続いて、一般無線端末５Ｂは、特定基地局３を介したアタッチ手順を行い、一般無線端末５Ｂの位置をネットワークに登録する。図１２は、アタッチ手順の例を示すシーケンス図である。
【０１１８】
図１２において、一般無線端末５Ｂは、アタッチ要求のメッセージ（Attach Request）を特定基地局３に送信する（図１２＜１＞）。このとき、一般無線端末５ＢのＣＰＵ４６は、記憶領域４７１に記憶されたＣＳＧ−ＩＤを含んだアタッチ要求を生成する。換言すれば、ＣＰＵ４６は、ＣＳＧ−ＩＤ（アクセス権情報）をアタッチ要求（位置登録要求の一例）に相乗りさせる。アタッチ要求のメッセージは、ＣＳＧ−ＩＤを含んだ所定のメッセージの一例である。
【０１１９】
特定基地局３のＣＰＵ４６は、無線端末５からのアタッチ要求が受信された場合には、当該アタッチ要求に当該特定基地局３のＣＳＧ−ＩＤが含まれているか否かを判定する（図１２＜２＞）。ＣＳＧ−ＩＤが含まれていない場合や、ＣＳＧ−ＩＤが一致しない場合には、ＣＰＵ２５は、当該アタッチ要求を破棄し、無線端末５のアタッチを拒否する（図１２＜３＞）。
【０１２０】
これに対し、アタッチ要求に含まれたＣＳＧ−ＩＤが特定基地局３のＣＳＧ−ＩＤと一致する場合には、ＣＰＵ２５は、アタッチ要求をＭＭＥ７に転送する処理を行う（図１２＜４＞）。但し、図１２では、図示を省略しているが、アタッチ要求の転送は、タイマＴ２の満了前に図１２＜２＞の処理が行われた場合に行われる。
【０１２１】
図１３は、特定基地局３におけるメッセージ受信時の処理例を示すフローチャートであり、図１２＜２＞〜＜４＞の詳細を示す。図１３において、ＣＰＵ２５は、無線端末５から受信されたメッセージがアタッチ要求か否かを判定する（１０）。このとき、メッセージがアタッチ要求であれば（１０のＹ）、処理が１１に進む。メッセージがアタッチ要求でなければ（１０のＮ）、処理が１７に進む。
【０１２２】
１１では、ＣＰＵ２５は、メッセージ（アタッチ要求）に含まれた端末ＩＤがＣＳＧメンバリスト２３２に登録されているか否かを判定する。このとき、端末ＩＤがＣＳＧメンバリスト２３２に登録されているとき（１２のＹ）には、ＣＰＵ２５は、処理を１４に進める。端末ＩＤがＣＳＧメンバリストに登録されていない（未登録である）とき（１１のＮ）には、処理が１２に進む。
【０１２３】
１２において、ＣＰＵ２５は、タイマＴ２が満了しているか否かを判定する。タイマＴ２が満了していれば（１２のＹ）、処理が１６に進む。タイマＴ２が満了していないときには（１２のＮ）、処理が１３に進む。
【０１２４】
１３では、ＣＰＵ２５は、アタッチ要求に含まれたＣＳＧ−ＩＤと特定基地局３のＣＳＧ−ＩＤ（予めＣＦ２３に記憶されている）とが一致するか否かを判定する。このとき、アタッチ要求からＣＳＧ−ＩＤを得られない、或いはＣＳＧ−ＩＤが一致しないとき（１３，不一致）には、処理が１６に進む。ＣＳＧ−ＩＤが一致するときには（１３，一致）、処理が１４へ進む。処理が１４へ進むことで、ＣＳＧ−ＩＤが特定基地局３に受け付けられた状態となる。
【０１２５】
１４では、ＣＰＵ２５は、メッセージ処理を行う。すなわち、ＣＰＵ２５は、アタッチ要求に係る処理（アタッチ要求をＭＭＥ７に転送する処理）を行う。続いて、１５では、ＣＰＵ２５は、アクセス権管理テーブル２３３（図４、以下「テーブル２３３」）の更新処理を行う。
【０１２６】
１１から１４へ処理が進んだとき（アタッチ要求の送信元がＣＳＧユーザであるとき）には、ＣＰＵ２５は、１５において次の更新処理を行う。すなわち、ＣＰＵ２５は、テーブル２３３のＣＳＧユーザに関して、アタッチ要求の送信元の端末ＩＤを登録する。また、ＣＰＵ２５は、当該端末ＩＤに関して在圏フラグをオン（“１”）に設定する（テンポラリフラグはオフ（“０”）で固定）。また、ＣＰＵ２５は、タイムスタンプを格納する。
【０１２７】
一方、１３から１４へ処理が進んだとき（アタッチ要求の送信元がテンポラリユーザであるとき）には、ＣＰＵ２５は、１５において次の更新処理を行う。すなわち、ＣＰＵ２５は、テーブル２３３のテンポラリユーザに関して、アタッチ要求の送信元の端末ＩＤを登録する。また、ＣＰＵ２５は、当該端末ＩＤに関して在圏フラグをオン（“１”）に設
定する（テンポラリフラグはオフ（“１”）で固定）。また、ＣＰＵ２５は、タイムスタンプを格納する。テーブル２３３の更新が完了すると、図１３の処理が終了する。
【０１２８】
１２から１６に処理が進んだ場合には、ＣＰＵ２５は、アタッチ要求をリジェクト（破棄）する（１６）。すなわち、ＣＰＵ２５は、タイマＴ２の満了を理由としてＣＳＧ−ＩＤの受け付けを拒否する。これによって、一般無線端末５Ｂに対しアタッチ要求に対する応答がなされないので、一般無線端末５Ｂは特定基地局３を介して位置登録を行うことができない。従って、一般無線端末５Ｂは、特定基地局３を介した通信を行うことができない（通信が許容されない）。このようにして、タイマＴ２で計時される所定期間内にＣＳＧ−ＩＤが受け付けられた場合に限って一般無線端末５Ｂの接続が許容されるようになっている。
【０１２９】
１３から１６に処理が進んだ場合にも、アタッチ要求は特定基地局３のＣＳＧに属しない無線端末５からのアタッチ要求であるとして、アタッチ要求がリジェクトされる。１６の処理が終了すると、図１３の処理が終了する。
【０１３０】
１０から１７に処理が進んだ場合には、ＣＰＵ２５は、メッセージが発信要求か否かを判定する。メッセージが発信要求であれば（１７のＹ）、処理が１８に進み、そうでなければ（１７のＮ）、処理が１９に進む。
【０１３１】
１８では、ＣＰＵ２５は、発信要求に含まれる端末ＩＤがテーブル２３３においてテンポラリユーザ（在圏フラグ“１”）として登録されているか否かを判定する。このとき、端末ＩＤが登録されていなければ（１８のＮ）、ＣＰＵ２５は、発信要求をリジェクトする（１６）。これによって、特定基地局３を介した通信が禁止される。これに対し、端末ＩＤが登録されていれば（１８のＹ）、ＣＰＵ２５は、発信要求をＭＭＥ７へ転送するメッセージ処理を行う（１９）。
【０１３２】
１７から１９へ処理が進んだ場合には、アタッチ要求及び発信要求以外のメッセージに応じた処理をＣＰＵ２５は行う。なお、特定基地局３は、ＭＭＥ７から着信信号（ページング信号）を受信したときには、１７から１９に示した処理を行う。
【０１３３】
すなわち、１７において、メッセージがページング信号であれば、ページング信号に対応する端末ＩＤ（在圏フラグ“１”）がテーブル２３３に登録されているか否かを判定する（１８）。端末ＩＤ（在圏フラグ“１”）が登録されていれば（１８のＹ）、ＣＰＵ２５は、ページング信号を無線端末５に転送する（１９）。端末ＩＤ（在圏フラグ“１”）が登録されていなければ、ページング信号をリジェクトする。これによって、無線端末５への着信が禁止される。
【０１３４】
なお、テーブル２３３のタイムスタンプは、テーブル２３３の参照時に、該当する端末ＩＤ（在圏フラグ“１”）が検出されたときに更新される。そして、ＣＰＵ２５は、例えばエージング処理によって、タイムスタンプで示された日時又は時刻から所定時間が経過した在圏フラグ“１”のエントリ（レコード）があるときには、当該エントリの在圏フラグを“０”にする。
【０１３５】
図１２に戻って、一般無線端末５Ｂからのアタッチ要求は、＜２＞にて特定基地局３の利用が許容される一般無線端末からのアタッチ要求として扱われ、ＭＭＥ７にアタッチ要求が転送される（図１２＜４＞）。
【０１３６】
アタッチ要求を受信したＭＭＥ７は、ＨＳＳ１０から認証用情報を取得し、一般無線端末５Ｂ（ユーザ）の認証を行う（図１２＜５＞）。ＭＭＥ７は、ＨＳＳ１０に対し、一般
無線端末５Ｂの位置登録要求を送信する（図１２＜６＞）。ＨＳＳ１０は、位置登録要求に応じて一般無線端末５Ｂの位置登録を行い、位置登録要求の応答メッセージ（位置登録完了メッセージ）をＭＭＥ７に返信する（図１２＜７＞）。このような位置登録によって、一般無線端末５Ｂが正常にＣＳＧセルＣ２に在圏した状態となる。
【０１３７】
ＭＭＥ７は、一般無線端末５Ｂから通知されたＡＰＮ（Access Point Name）に基づい
て、ベアラ設定先のＳ−ＧＷ８及びＰ−ＧＷ９を選択し、選択したＳ−ＧＷ８にベアラ設定要求を送信する（図１２＜８＞）。Ｓ−ＧＷ８は、Ｐ−ＧＷ９との間でベアラを設定する（図１２＜９＞）。ベアラ設定が完了すると、Ｓ−ＧＷ８は、ＭＭＥ７にベアラ設定完了の応答メッセージ（基地局向けの伝達情報含む）を送信する（図１２＜１０＞）。
【０１３８】
ＭＭＥ７は、Ｓ−ＧＷ８からの伝達情報を無線ベアラ設定要求として送信する（図１２＜１１＞）。無線ベアラ設定要求には、アタッチ受け入れ信号も含まれる。特定基地局３は、無線ベアラ設定要求に従って一般無線端末５Ｂとの間で無線ベアラを設定し、アタッチ受け入れ信号を一般無線端末５Ｂに送信する（図１２＜１２＞）。アタッチ受け入れ信号は、アタッチ要求の応答メッセージであり、図７Ａ＜１２＞に示した応答に相当する。一般無線端末５Ｂは、アタッチ受け入れ信号をタイマＴ３の満了前に受領することで、特定基地局３への接続の許容状態を維持することができる。
【０１３９】
特定基地局３は、一般無線端末５Ｂから無線ベアラ設定応答メッセージを受信し（図１２＜１３＞）、当該メッセージ中のＳ−ＧＷ８向けの伝達情報をＭＭＥ７へ送信する（図１２＜１４＞）。
【０１４０】
ＭＭＥ７は、一般無線端末５Ｂからのアタッチ完了メッセージを受信すると（図１２＜１５＞）、Ｓ−ＧＷ８向けの伝達情報をＳ−ＰＷ８へ送り、Ｓ−ＧＷ８が特定基地局３とＳ−ＧＷ８との間のベアラ設定を行う（図１２＜１６＞）。これによって、一般無線端末５Ｂ，特定基地局３，Ｓ−ＧＷ８，及びＰ−ＧＷ９のそれぞれの間におけるベアラ設定が完了する。このようにして、一般無線端末５ＢとＰ−ＧＷ９（外部ネットワーク４）との間で、特定基地局３を介してユーザデータを送受信可能な状態、すなわち一般無線端末５Ｂが特定基地局３を介した通信を実行可能な状態となる（図１２＜１７＞）。
【０１４１】
すなわち、一般無線端末５Ｂは、発信要求メッセージをＭＭＥ７に送り、通信相手（例えば、外部ネットワーク４に接続された端末）との呼を確立することができる。或いは、或る端末から一般無線端末５Ｂに向けて発信が行われたときに、ＭＭＥ７が特定基地局３にページング信号を送信し、特定基地局３が一般無線端末５Ｂへページング信号を転送することで、一般無線端末５Ｂに着信処理を行わせることができる。
【０１４２】
＜＜ＣＳＧ−ＩＤ削除処理＞＞
上記した動作によって、一般無線端末５Ｂは、ＣＳＧ−ＩＤを記憶し、且つＣＳＧ−ＩＤがタイマＴ２の満了前に特定基地局３で受け付けられたことを条件としてＣＳＧモードで動作する特定基地局３を利用した通信を行うことができる。
【０１４３】
しかし、通信が終了した後は、一般無線基地局５Ｂの所有者にとっては、特定基地局３は用済みの状態となる。このため、以下に説明するＣＳＧ−ＩＤ削除処理によって、ＣＳＧ−ＩＤを記憶領域４７１から削除し、一般無線端末５Ｂを元の状態に戻す。すなわち、以下に示す削除処理以外に、ＣＳＧ−ＩＤが格納されてから所定時間が経過すると、ＣＰＵ２５がＣＳＧ−ＩＤを削除するようにしても良い。
【０１４４】
[第１の削除処理]
図１４は、ＣＳＧ−ＩＤ削除時の動作を示すシーケンス図である。特定基地局３がＣＳ
Ｇモードで動作している状態（図１４＜１＞）において、ＣＳＧ−ＩＤ削除のトリガが発生する（図１４＜２＞）。すると、特定基地局３のＣＰＵ２５は、ＣＳＧ−ＩＤ削除指示の送信処理を開始する（図１４＜３＞）。
【０１４５】
当該送信処理において、特定基地局３のＣＰＵ２５は、特定基地局３が報知情報Ａ（ＣＳＧモード）と報知情報Ｂ（ＣＳＧ−ＩＤ削除指示）とを周期的に送信する状態にする（図１４＜４＞）。一般無線端末５Ｂは、ＣＳＧ−ＩＤ削除指示を受信すると、記憶領域４７１から該当するＣＳＧ−ＩＤを削除する（図１４＜５＞）。
【０１４６】
ＣＳＧ−ＩＤの削除を契機として、或いはＣＳＧ−ＩＤ削除と非同期に、一般無線端末５Ｂで行われる待ち受けセル決定処理（図１１）によって、待ち受けセルが特定基地局３のＣＳＧセルＣ２から他のセルに変更される（図１４＜６＞）。特定基地局３では、削除指示の送信処理の開始とともにタイマＴ４（第４の所定期間）の計時が開始される。タイマＴ４が満了すると、ＣＰＵ２５は、削除指示の送信処理を終了し（図１４＜７＞）。報知情報Ｂ（ＣＳＧ−ＩＤ削除指示）の送信を停止する（図１４＜８＞）。
【０１４７】
一般無線端末５ＢにおけるＣＳＧ−ＩＤ削除処理（第１の削除処理）の詳細を説明する。図１０に示すように、一般無線端末５ＢのＣＰＵ４６は、特定基地局３から報知情報Ａ（ＣＳＧモード）を受信すると（００４，ＣＳＧ）、記憶領域４７１にＣＳＧ−ＩＤが記憶されている否かを判定する（００７）。
【０１４８】
このとき、記憶領域４７１にＣＳＧ−ＩＤが記憶されていなければ（００７のＮ）、図１０の処理が終了する。記憶領域４７１にＣＳＧ−ＩＤが記憶されているときには（００７のＹ）、ＣＰＵ４６は、報知情報Ａに続いて受信される報知情報ＢがＣＳＧ−ＩＤ削除指示を示すか否かを判定する（００８）。
【０１４９】
報知情報ＢをＣＰＵ２５が検知できないとき、或いは報知情報ＢがＣＳＧ−ＩＤ削除指示を示さないとき（００８のＮ）には、図１０の処理が終了する。これに対し、ＣＰＵ４６は、ＣＳＧ−ＩＤ削除指示を検知したとき（００８のＹ）には、ＣＳＧ−ＩＤを記憶領域４７１から削除し（００９）、図１０の処理を終了する。
【０１５０】
その後の待ち受けセル決定処理（図１１）において、一般無線端末５ＢはＣＳＧ−ＩＤを記憶していないので、特定基地局３のＣＳＧセルＣ２は待ち受けセル候補から除外され（０１５のＮ）、他のセルが待ち受けセルとして決定される。
【０１５１】
[第２の削除処理]
図１５は、第２のＣＳＧ−ＩＤ削除処理（第２の削除処理）の処理例を示すフローチャートである。第２の削除処理は、図１０に示した第１の削除処理の代わりに、或いは第１の削除処理に加えて実行することができる。
【０１５２】
図１５において、ＣＰＵ４６は、例えば、特定基地局３のＣＳＧセルＣ２を待ち受けセルに決定したことを契機として、待ち受けセルの変更を監視する（０２１）。待ち受けセルが変更されると（０２１のＹ）、ＣＰＵ４６は、記憶領域４７１からＣＳＧ−ＩＤを削除し（０２２）、処理を終了する。
【０１５３】
待ち受けセルが変更されることは、一般無線端末５Ｂにおける特定基地局３からの受信電波強度が周辺基地局の受信電波強度より低くなったこと、或いは、一般無線端末５Ｂが特定基地局３からの電波を受信できない程度に離れたことを意味する。この場合、一般無線端末５Ｂにとって特定基地局３は無用の状態となっていると考えられる。このため、待ち受けセルの変更を契機としてＣＳＧ−ＩＤを削除する。
【０１５４】
[第３の削除処理]
図１６は、第３のＣＳＧ−ＩＤ削除処理（第３の削除処理）の処理例を示すフローチャートである。第３の削除処理は、図１０に示した第１の削除処理の代わりに、或いは第１の削除処理に加えて実行することができる。第３の削除処理は、第２の削除処理との間で選択的に実行される。
【０１５５】
図１６において、ＣＰＵ４６は、例えば、特定基地局３のＣＳＧセルＣ２を待ち受けセルに決定したことを契機として、待ち受けセルの変更を監視する（０３１）。待ち受けセルが変更されると（０３１のＹ）、ＣＰＵ４６は、タイマの計時を開始する（０３２）。
【０１５６】
その後、ＣＰＵ４６は、タイマが満了するまでに待ち受けセルが特定基地局３のＣＳＧセルＣ２に変更されるのを待つ（０３３，０３５）。タイマの満了前に、待ち受けセルがＣＳＧセルＣ２に変更されたときには（０３３のＹ）、ＣＰＵ４６は、タイマを停止し（０３４）、処理を０３１に戻す。
【０１５７】
これに対し、タイマが満了したときには（０３５のＹ）、ＣＰＵ２５は、記憶領域４７１からＣＳＧ−ＩＤを削除し（０３６）、処理を終了する。このように、第３の方法では、一般無線端末５Ｂが特定基地局３の周辺を一旦離れたが、タイマ満了前に再び戻ってきた場合には、ＣＳＧ−ＩＤの記憶状態が維持される。これによって、ＣＳＧセルＣ２からの一時的な離脱によって再度のＣＳＧ−ＩＤ格納を行う手間を省くことができる。但し、この場合は、一般無線端末５Ｂを再度特定基地局３に在圏させるために、特定基地局３にタイマＴ２の計時を開始する開始指示を入力する操作が行われる。
【０１５８】
[第４の削除処理]
図１７は、第４のＣＳＧ−ＩＤ削除処理（第４の削除処理）の処理例を示すフローチャートである。第４の削除処理は、単独で、或いは第１から第３の削除処理のうちの少なくとも１つとの組み合わせにおいて適用可能である。
【０１５９】
第４の削除処理の前提として、一般無線端末５ＢのＣＰＵ４６は、特定基地局３の物理セルＩＤ（Physical Cell ID: ＰＣＩ）を予めメモリ４７に記憶する。ＰＣＩは、特定基地局３からの同期信号の処理過程で入手することができる。
【０１６０】
図１７において、ＣＰＵ４６は、タイマを起動した後（０４１）、同期信号の受信処理を行う（０４２）。同期信号から得られたＰＣＩ（セルＩＤ）が予め記憶した特定基地局３のＰＣＩと一致するとき（０４３のＹ）、ＣＰＵ４６は、タイマをリセットして（０４４）、処理を０４２に戻す。特定基地局３のＰＣＩが同期信号から入手できることは、特定基地局３を介した通信を実行可能な位置に一般無線端末５Ｂが存していることを意味する。
【０１６１】
これに対し、ＣＰＵ４６は、タイマ値が所定の閾値以上となる（超える）までの間に特定基地局３のＰＣＩを入手できないときには（０４５のＹ）、記憶領域４７１からＣＳＧ−ＩＤを削除する（０４６）。一般無線端末５Ｂが特定基地局３からの電波（同期信号）を受信できない位置まで移動していると考えられるからである。
【０１６２】
[第５の削除処理]
図１８は、第５のＣＳＧ−ＩＤ削除処理（第５の削除処理）の処理例を示すフローチャートである。図１８において、ＣＰＵ４６は、タイマを起動した後（０５１）、報知情報の受信処理を行う（０５２）。報知情報から得られたＣＳＧ−ＩＤが記憶領域４７１に記憶された特定基地局３のＣＳＧ−ＩＤと一致するとき（０５３のＹ，０５４のＹ）、ＣＰ
Ｕ４６は、タイマをリセットして（０５５）、処理を０５２に戻す。特定基地局３のＣＳＧ−ＩＤが報知情報から入手できることは、特定基地局３を介した通信を実行可能な位置に一般無線端末５Ｂが存していることを意味する。
【０１６３】
これに対し、ＣＰＵ４６は、タイマ値が所定の閾値以上となる（超える）までの間に特定基地局３のＣＳＧ−ＩＤを入手できないときには（０５６のＹ）、記憶領域４７１からＣＳＧ−ＩＤを削除する（０５７）。一般無線端末５Ｂが特定基地局３からの電波（報知情報）を受信できない位置まで移動していると考えられるからである。
【０１６４】
第５の削除処理は、第４の削除処理との間で選択的に実行される。第４及び第５の削除処理では、ＣＰＵ４６が特定基地局３からの電波を監視し、特定基地局３からの電波を検知できない時間が所定期間継続したときにＣＳＧ−ＩＤが削除される。なお、第５の削除処理は、予め特定基地局のＣＧＩ（セルＩＤ）を記憶しておき、報知情報からＣＧＩを検出して比較する構成に変形可能である。
【０１６５】
＜第１実施形態の作用効果＞
第１実施形態によれば、開始指示を受けたことによって起動するタイマＴ２で計時される所定期間中にＣＳＧ−ＩＤが受け付けられた場合に限って、一般無線端末５Ｂによる特定基地局３の接続（利用）が許容される。このように、一般無線端末５Ｂの特定基地局３への接続が許容される期間がタイマＴ２の所定期間に制限されるため、特定基地局３への一般無線端末５Ｂの接続数を抑制することができる。
【０１６６】
また、第１実施形態では、ＣＳＧ−ＩＤの格納指示が報知情報Ｂを用いて送信される。これにより、既存の無線端末及び基地局が有するハードウェア構成を用いて、両者間でＣＳＧ−ＩＤの授受を行うことができる。
【０１６７】
また、第１実施形態では、ＣＳＧ−ＩＤの格納指示がハイブリッドモード下で送信されるため、送信電力の低下が行われる。これによって、格納指示の拡散範囲を抑えることができる。
【０１６８】
また、第１実施形態では、上記した様々な削除方法（削除処理）によって一般無線端末５Ｂに記憶されたＣＳＧ−ＩＤを削除することができる。これによって、不要となったＣＳＧ−ＩＤを削除することができる。第２〜第５の削除処理によれば、ＣＳＧ−ＩＤを自動的に削除可能となる。
【０１６９】
〔第２実施形態〕
次に、第２実施形態について説明する。第２実施形態は、第１実施形態との共通点を得含むので、主として相違点について説明し、共通点については説明を省略する。第１実施形態では、一般無線端末５Ｂから不要となったＣＳＧ−ＩＤを削除する構成について説明した。第２実施形態では、記憶領域４７１に記憶されたＣＳＧ−ＩＤが維持された状態で、一般無線端末５Ｂによる特定基地局３（ＣＳＧセルＣ２）の利用を制限可能な構成について説明する。
【０１７０】
第２実施形態における一般無線端末５Ｂ及び特定基地局３のハードウェア構成及びＣＰＵ２５やＣＰＵ４６における処理は第１実施形態（図２，図５）と同じであるので説明を省略する。また、第２実施形態において、一般無線端末５ＢのＣＳＧ−ＩＤ（アクセス権情報）の記憶に係る処理及び動作、並びに特定基地局３におけるメッセージ中のＣＳＧ−ＩＤの確認（図１３）も第１実施形態と同様であるので説明を省略する。
【０１７１】
図１９は、第２実施形態における動作例を示すシーケンス図である。図１９のシーケン
スは、ＣＳＧ−ＩＤを記憶した一般無線端末５ＢがＣＳＧセルＣ２の周辺に位置し、ＣＳＧセルＣ２を待ち受けセル候補にすることが可能な程度の受信電波環境であることを想定している。
【０１７２】
図１９のシーケンスの開始時点で、特定基地局３は、報知情報Ａ（ＣＳＧモード）を送信している（図１９＜１＞）。このような状態において、通信許容ビットの送信開始のトリガが発生すると（図１９＜２＞）、ＣＰＵ２５は、通信許容送信処理を開始する（図１９＜３＞）。トリガは、例えば、入力装置３１からの開始指示入力である。但し、タイマの設定による自動的なトリガ発生が採用されても良い。
【０１７３】
送信処理が開始されると、ＣＰＵ２５は、タイマＴ５及びタイマＴ６を起動する（図１９＜４＞）。タイマＴ６は、通信許容ビットを送信する所定期間（第５の所定期間）を計時する。タイマＴ６は、通信許容ビットを受けた一般無線端末５Ｂから送信されるＣＳＧ−ＩＤを受け付ける所定期間（第６の所定期間）を計時する。
【０１７４】
通信許容ビットの送信処理によって、ＣＰＵ２５は、ＣＳＧモードを示す報知情報Ａ（図８Ａ）と、通信許容を示す報知情報（報知情報Ｄ）とが交互に繰り返し送信される状態にする（図１９＜５＞）。
【０１７５】
図２０Ａは、通信許容を示す報知情報（報知情報Ｄ）のフォーマット例を示す。報知情報Ｄは、ＣＳＧ−ＩＤと許容／禁止ビット（通信許容ビット）とを含む。許容／禁止ビット“０”は、「通信禁止」を示し、許容／禁止ビット“１”は、「通信許容」を示す。報知情報Ｄの代わりに、報知情報Ａと報知情報Ｄとが集約された報知情報Ｅ（図２０Ｂ）が適用されても良い。
【０１７６】
一般無線端末５ＢのＣＰＵ４６は、待ち受けセル決定処理（図１９＜６＞）において、報知情報Ａ（ＣＳＧモード）及び報知情報Ｄが検知されると、特定基地局３のＣＳＧセルＣ２を待ち受けセルに決定する。
【０１７７】
特定基地局３のＣＰＵ２５は、タイマＴ５が満了すると通信許容送信処理を終了し（図１９＜７＞）、報知情報Ｄの送信を停止する（報知情報Ａ（ＣＳＧモード）を送信する状態となる（図１９＜８＞））。但し、報知情報Ｄの送信停止が、タイマＴ５の代わりに、タイマＴ５を用いた制御に加えて、入力装置３１の操作入力によって行われるようにしても良い。
【０１７８】
ＣＳＧセルＣ２を待ち受けセルに決定した一般無線端末５Ｂは、ＣＳＧ−ＩＤを含む所定のメッセージを送信する（図１９＜９＞）。その後、タイマＴ６が満了する前に、ＣＳＧ−ＩＤが特定基地局３で受け付けられると（図１９＜１０＞）、一般無線端末５Ｂの特定基地局３への接続が許容された状態になる。そして、応答メッセージが一般無線端末５Ｂで受信された場合には（図１９＜１１＞）、一般無線端末５Ｂは、特定基地局３を用いた通信を行うことができる。所定メッセージは、独自のメッセージであっても良く、ＣＳＧ−ＩＤが相乗りされるアタッチ要求であっても良い。
【０１７９】
図２１は、第２実施形態における待ち受けセル決定処理の例を示すフローチャートである。図２１に示す処理は、次の点で第１実施形態における待ち受けセル決定処理と異なっている。すなわち、０１４と０１５との間に、０１４Ａの処理が挿入されている。その他の処理（０１１〜０１４，０１５〜０１８の処理）は、第１実施形態と同じであるので説明を省略する。
【０１８０】
０１４Ａにおいて、ＣＰＵ４６は、許容／禁止ビット“１”（通信許容）の報知情報Ｄ
が受信されていれば（０１４ＡのＹ）、処理を０１５に進める。従って、一般無線端末５Ｂは、通信許容を示す報知情報が送信中であることをさらなる条件として、特定基地局３を用いた通信を行うことができる。
【０１８１】
これに対し、０１４Ａにおいて、報知情報Ｄが受信されていない場合、或いは許容／禁止ビットの値が“０”（通信禁止）であれば（０１４ＡのＮ）、処理が０１１に戻される。従って、報知情報Ｄ（通信許容）が報知されていない状態（期間）は、例え一般無線端末５ＢがＣＳＧ−ＩＤを記憶していても、特定基地局３を用いた通信は許容されない。
【０１８２】
第２実施形態によれば、通信許容処理の開始指示を受けた後に起動するタイマＴ６によって計時される所定期間の満了前にＣＳＧ−ＩＤが特定基地局３で受け付けられた場合に、特定基地局３への接続が許容される。これによって、特定基地局３の管理者は、ＣＳＧ−ＩＤ（アクセス権情報）を記憶した一般無線端末５Ｂに対し、特定基地局３を開放する期間を調整することができる。従って、第２実施形態では、ＣＳＧ−ＩＤの削除に係る処理は不要である。これにより、或る一般無線端末５Ｂに対する再度のＣＳＧ−ＩＤの提供も不要となる。
【０１８３】
〔第３実施形態〕
次に、第３実施形態について説明する。第３実施形態は、第１実施形態との共通点を得含むので、主として相違点について説明し、共通点については説明を省略する。第１実施形態では、ＣＳＧ−ＩＤ（アクセス権情報）を報知情報として一般無線端末５Ｂへ送信（広告）する構成について説明した。第３実施形態では、ＣＳＧ−ＩＤ（アクセス権情報）を報知情報以外の送信方法で一般無線端末５Ｂに供給する構成について説明する。
【０１８４】
図２２は、第３実施形態における特定基地局３として適用可能な基地局２０Ａの構成例を示す。基地局２０Ａは、送信機３５をさらに含む点で、第１実施形態における基地局２０（図２）と異なっている。また、電力制御回路３３を有しなくても良い点で、基地局２０と異なっている。
【０１８５】
送信機３５は、近距離無線通信（非接触通信）用の通信機器であり、ＮＦＣ，Bluetooth（登録商標），ＵＷＢ（Ultra-Wide Band），Ｗｉ-Ｆｉ，Transferjet，ＲＦＩＤのような様々な規格の何れかに準拠した通信機器である。また、送信機３５は、赤外線通信用の送信機であっても良い。
【０１８６】
第３実施形態では、送信機３５がＮＦＣに準拠したＩＣカードである例について説明する。ＩＣカードは、ＩＣチップとメモリを有し、メモリには、ＣＳＧ−ＩＤ（アクセス権情報）が予め記憶されている。ＩＣカードは、基地局２０Ａの本体から着脱自在であっても良い。
【０１８７】
図２３は、第３実施形態における一般無線端末５Ｂとして適用可能な無線端末４０Ａの構成例を示す。無線端末４０Ａは、受信機５３をさらに含む点で、第１実施形態における無線端末４０（図５）と異なっている。
【０１８８】
受信機５３は、基地局２０Ａ（特定基地局３）が備える送信機３５に対応する受信機であり、近距離無線通信（非接触通信）又は赤外線通信用の通信機器である。第３実施形態では、受信機５３は、送信機３５（ＮＦＣ準拠のＩＣカード）に対応するリーダ／ライタとして動作する通信機器である。受信機５３は、送信機３５（ＩＣカード）との距離が所定距離より短くなったときに、送信機３５（ＩＣカード）から送信されるＣＳＧ−ＩＤを受信する。受信されたＣＳＧ−ＩＤは、受信機５３又はＣＰＵ４６によって記憶領域４７１に記憶される。
【０１８９】
図２４は、第３実施形態において一般無線端末５Ｂが特定基地局３のＣＳＧセルＣ２を待ち受けセルに設定するときの動作例を示すシーケンス図である。第３実施形態では、特定基地局３は、ＣＳＧモードからハイブリッドモードへの切り替えは行わず、常に報知情報Ａ（ＣＳＧモード）を報知する（図２４＜１＞）。
【０１９０】
特定基地局３への接続を所望する一般無線端末５Ｂを特定基地局３（送信機３５（ＩＣカード））に近づけ、送信機３５と受信機５３との距離が近距離無線通信可能な距離に達すると、送信機３５でＣＳＧ−ＩＤ送信のトリガが発生し（図２４＜２＞）、送信機３５は、ＣＳＧ−ＩＤを受信機５３へ送信する（図２４＜３＞）。送信は所定期間で終了する（図２４＜４＞）。
【０１９１】
次に、特定基地局３のオペレータ（管理者）は、入力装置３１から開始指示を入力する（図２４＜５＞）。すると、特定基地局３のＣＰＵ２５がタイマＴ２を起動し（図２４＜５＞）、タイマＴ２が満了するまでの間、ＣＳＧ−ＩＤを受け付ける状態となる。
【０１９２】
一方、一般無線端末５Ｂでは、受信機５３で受信されたＣＳＧ−ＩＤは、ＣＰＵ４６に渡され、ＣＰＵ４６が記憶領域４７１にＣＳＧ−ＩＤを記憶する（図２４＜７＞）。このとき、受信機５３が記憶領域４７１にＣＳＧ−ＩＤを記憶するようにしても良い。
【０１９３】
ＣＳＧ−ＩＤが記憶されると、一般無線端末５ＢのＣＰＵ４６は、第１実施形態と同様の待ち受けセル決定処理を実行する（図２４＜８＞）、待ち受けセル決定処理によって、ＣＳＧセルが待ち受けセルに決定される。その後における図２４＜９＞〜＜１２＞の動作は、第１実施形態の動作（図７Ａの＜９＞〜＜１２＞）と同じである。すなわち、ＣＳＧ−ＩＤがタイマＴ２の満了前に特定基地局３で受け付けられると（図２４＜１１＞）、一般無線端末５Ｂによる特定基地局３への接続が許容される。
【０１９４】
第４実施形態では、一般無線端末５Ｂに記憶されたＣＳＧ−ＩＤに関して、第１実施形態にて説明したＣＳＧ−ＩＤの削除処理の何れかを適用することができる。或いは、第２実施形態で説明した構成（許容／禁止ビットの送信）が適用されても良い。
【０１９５】
このように、第３実施形態では、報知情報を用いたＣＳＧ−ＩＤの授受に代えて、近距離無線通信や赤外線通信を用いて授受が行われる。これによって、特定基地局３をハイブリッドモードに切り替えることを回避し、予定外の一般無線端末５ＢがＣＳＧ−ＩＤを記憶することを回避することができる。  
【０１９６】
第３実施形態では、一例として、ＮＦＣに準拠したＩＣカードが適用される。これによって、一般無線端末５Ｂを特定基地局３（送信機３５）に近づける（かざす、或いは接触させる）ことで、ＣＳＧ−ＩＤの授受が行われる。このように、第３実施形態では、報知情報の伝搬距離に比べて短い電波の伝搬距離で無線通信が行われることで、ＣＳＧ−ＩＤの拡散を回避することができる。また、ＣＳＧ−ＩＤの授受に当たって特定基地局３や一般無線端末５Ｂの操作を不要にすることができる。また、報知情報の送信規格と異なる規格による通信であるので、報知情報に比べて予定外の一般無線端末５ＢがＣＳＧ−ＩＤを記憶する可能性を抑えることができる。
【０１９７】
また、ＩＣカード（送信機３５）は、特定基地局３の本体から離脱した状態で使用可能である。特定基地局３の設置位置によっては、一般無線端末５Ｂを近づけることが困難であったり、特定基地局３の設置場所に一般無線端末５Ｂの所有者を案内することがはばかられる場合があったりする。このような場合に、ＩＣカードを特定基地局３から離脱した状態で一般無線端末５Ｂに接触させることで、ＣＳＧ−ＩＤを一般無線端末５Ｂに記憶さ
せることができる。
【０１９８】
図２５は、第３実施形態に係る他の形態を示すシーケンス図である。図２５は、送信機３５及び受信機５３が、BluetoothやＷｉ−ＦｉのようなＮＦＣ以外の近距離無線通信、
或いは赤外線通信の通信機器である場合を想定している。BluetoothやＷｉ−Ｆｉが適用
される場合、報知情報との通信規格の違いや、１体１通信の適用によって、予定外の一般無線端末５ＢがＣＳＧ−ＩＤを記憶する可能性を低減することができる。
【０１９９】
この場合、特定基地局３のＣＦ２３には、送信機３５の制御用のアプリケーションが記憶され、ＣＰＵ２５がアプリケーションを実行し、入力装置３１からの操作を受け付けて、ＳＷ２１に接続された送信機３５の動作を制御する。同様に、一般無線端末５Ｂのフラッシュメモリ４５には、受信機５３の制御用のアプリケーションが記憶され、ＣＰＵ４６がアプリケーションを実行し、入力装置４４からの操作を受け付けて、受信機５３の動作を制御する。
【０２００】
図２５に示すように、ＣＳＧモードの報知情報の送信中において（図２５＜１＞）、特定基地局３の管理者が一般無線端末５ＢにＣＳＧ−ＩＤの提供を所望する場合には、管理者は、入力装置３１を操作して送信機３５制御用のアプリケーションを起動し、ＣＳＧ−ＩＤの送信指示を入力する。すると、ＣＰＵ２５は、アプリケーションの実行を通じて送信機３５を制御し、送信機３５をＣＳＧ−ＩＤの送信可能状態にする（図２５＜２Ａ＞）。
【０２０１】
一般無線端末５Ｂの所有者は、入力装置４４を操作して受信機５３制御用のアプリケーションを起動し、ＣＳＧ−ＩＤの受信指示を入力する。すると、ＣＰＵ４６は、アプリケーションの実行を通じて受信機５３を制御し、受信機５３をＣＳＧ−ＩＤの受信可能状態にする（図２５＜２Ｂ＞）。その後、管理者が入力装置３１を操作してＣＳＧ−ＩＤの送信指示を入力すると、送信機３５がＣＳＧ−ＩＤを送信する（図２５＜３＞）。送信機３５は、所定期間の送信を終えると、送信処理を終了する（図２５＜４＞）。
【０２０２】
次に、特定基地局３のオペレータ（管理者）は、入力装置３１から開始指示を入力する（図２５＜５＞）。すると、特定基地局３のＣＰＵ２５がタイマＴ２を起動し（図２５＜５＞）、タイマＴ２が満了するまでの間、ＣＳＧ−ＩＤを受け付ける状態となる。
【０２０３】
一方、一般無線端末５Ｂでは、受信機５３はＣＳＧ−ＩＤを受信する。受信されたＣＳＧ−ＩＤは、受信機５３又はＣＰＵ４６によって記憶領域４７１に記憶される（図２５＜７＞）。ＣＳＧ−ＩＤが記憶されると、一般無線端末５Ｂは、待ち受けセル決定処理（図２５＜６＞）を実行し、ＣＳＧセルを待ち受けセルに決定することができる。その後、図２４の＜９＞〜＜１２＞に示した動作と同様の動作が行われるが、図示及び説明は省略する。
【０２０４】
第３実施形態では、図２５の＜１１Ａ＞，＜１１Ｂ＞，＜１２＞〜＜１５＞に示す削除処理を採用可能である。すなわち、削除指示の送信操作（図２５＜１１Ａ＞）に応じて送信機３５がＣＳＧ−ＩＤの削除指示を所定期間送信する（図２５＜１２＞，＜１３＞）。
【０２０５】
一般無線端末５Ｂでは、削除指示の受信操作（図２５＜１１Ｂ＞）に応じて受信機５３が削除指示を受信する。一般無線端末５ＢのＣＰＵ４６は、削除指示に応じてＣＳＧ−ＩＤを記憶領域４７１から削除する（図２５＜１４＞）。すると、待ち受けセル決定処理が実行され（図２５＜１５＞）、待ち受けセルが他のセルへ変更される。
【０２０６】
但し、第３実施形態でも、第１実施形態に示したＣＳＧ−ＩＤの削除方法の何れか、或
いは許容／禁止ビットを用いた特定基地局３の利用制御（第２実施形態）を適用可能である。
【０２０７】
〔第４実施形態〕
次に、第４実施形態について説明する。第４実施形態は、第１実施形態との共通点を得含むので、主として相違点について説明し、共通点については説明を省略する。第１実施形態では、ＣＳＧ−ＩＤ（アクセス権情報）を報知情報として一般無線端末５Ｂへ送信する構成について説明した。第４実施形態では、一次元コード又は二次元コードからＣＳＧ−ＩＤ（アクセス権情報）を一般無線端末５Ｂが読み取る構成について説明する。
【０２０８】
図２６は、第４実施形態における一般無線端末５Ｂとして適用可能な無線端末４０Ｂの構成例を示す。無線端末４０Ｂは、バスＢ１に接続された読み取り装置（コードリーダ）５５をさらに含む点で、第１実施形態における無線端末４０（図５）と異なっている。
【０２０９】
読み取り装置５５は、ＣＳＧ−ＩＤが符号化された二次元コード７０を読み取る読み取り装置である。二次元コード７０は、二次元シンボルのバーコードであり、例えば、ＰＤＦ４１７，データマトリックス、マキシコード、ＱＲコード（登録商標）のいずれかである。但し、二次元コード７０は、一次元コード（１次元シンボルのバーコード）であっても良い。
【０２１０】
二次元コード７０は、例えば、特定基地局３の筐体表面に印刷、貼付、描画されても良く、二次元コード７０が印刷されたシート等の印刷媒体が特定基地局３と別個に管理されるようにしても良い。
【０２１１】
読み取り装置５５は、二次元コード７０を走査するスキャナと、スキャナから得られた電気的情報を文字コードに復号する復号器（復号回路）とを含む。スキャナは、例えば、ディジタルカメラを用いた二次元イメージャである。但し、二次元イメージャ以外のスキャン方式を用いるスキャナであっても良い。復号器の復号処理によって得られたＣＳＧ−ＩＤは、読み取り装置５５又はＣＰＵ４６によって記憶領域４７１に記憶される。
【０２１２】
一般無線端末５Ｂのフラッシュメモリ４５には、読み取り装置５５の制御用のアプリケーションが記憶され、ＣＰＵ４６がアプリケーションを実行し、入力装置４４からの操作を受け付けて、読み取り装置５５の動作を制御する。
【０２１３】
図２７は、第４実施形態において一般無線端末が特定基地局のＣＳＧセルを待ち受けセルに設定するときの動作を示すシーケンス図である。第４実施形態では、特定基地局３は、ＣＳＧモードからハイブリッドモードへの切り替えは行わず、常に報知情報Ａ（ＣＳＧモード）を報知する（図２７＜１＞）。
【０２１４】
一般無線端末５Ｂの所有者は、入力装置４４を操作して、読み取り装置５５の制御用のアプリケーションを起動する（ＣＰＵ４６がアプリケーションの実行を開始する）。所有者は、アプリケーションの起動によって出力装置４３（ディスプレイ）に表示されるカメラの撮影画像を参照しつつ、入力装置４４を操作して、二次元コード７０を撮影する（図２７＜２＞）。
【０２１５】
すると、読み取り装置５５が二次元コード７０の画像処理及び復号処理を行い、ＣＳＧ−ＩＤを得る（図２７＜３＞）。なお、画像処理及び復号処理の一部をＣＰＵ４６が実行するようにしても良い。
【０２１６】
読み取りが完了すると、出力装置３２からの音、光、情報表示、振動の少なくとも一つ
によって、読み取り完了が特定基地局３のオペレータに報知される（図２７＜４＞）。図２７の＜５＞〜＜１２＞の動作は、第３実施形態と同様であるので説明を省略する。
【０２１７】
第４実施形態においては、記憶領域４７１に記憶されたＣＳＧ−ＩＤに関して、第１〜第５の削除方法（第１実施形態）の何れかを適用することができる。或いは、第２実施形態で説明した許容／禁止ビットを用いた特定基地局３の利用制御（第２実施形態）を適用することもできる。
【０２１８】
第４実施形態では、二次元コード７０からＣＳＧ−ＩＤを得て、記憶領域４７１に記憶することができる。第１実施形態及び第３実施形態と異なり、ＣＳＧ−ＩＤの授受のための通信が実行されないので、特定基地局３の管理者が意図しない一般無線端末５ＢがＣＳＧ−ＩＤを記憶することが回避される。
【０２１９】
通常、無線端末５は、二次元コード７０の読み取り装置を備えていることが少なくない。このため、そのような読み取り装置を用い、ＣＳＧ−ＩＤ格納用のアプリケーションを一般無線端末５Ｂに実装することで、第４実施形態で説明した一般無線端末５Ｂを形成することができる。
【０２２０】
第１〜第４実施形態にて説明した構成は、開示の目的を逸脱しない範囲で適宜組み合わせることができる。
【０２２１】
〔その他〕
上記した実施形態は、以下の付記を開示する。以下の付記は適宜組み合わせることができる。
【０２２２】
（付記１）  アクセス権を有する特定無線端末に対して利用を許容する基地局であって、
開始指示を受けて所定期間を計時する処理と、前記所定期間の満了前に前記アクセス権を有しない一般無線端末からのアクセス権情報を受け付けたときに当該一般無線端末による前記基地局の利用を許容する処理とを行う制御装置、
を含む基地局。（１）
【０２２３】
（付記２）  前記制御装置は、一般無線端末が受信可能な方式で前記アクセス権情報を含む報知情報を送信する送信装置をさらに含む
付記１に記載の基地局。（２）
【０２２４】
（付記３）  前記制御装置は、前記アクセス権情報を含む報知情報を他の報知情報の送信電力より低い送信電力で送信する処理を行う
付記２に記載の基地局。（３）
【０２２５】
（付記４）  近距離無線通信又は赤外線通信によって前記アクセス権情報を一般無線端末へ送信する通信機器をさらに含む
付記１から３のいずれか１項に記載の基地局。（４）
【０２２６】
（付記５）  前記制御装置は、前記アクセス権情報を記憶している一般端末向けに前記アクセス権情報の削除指示を送信する
付記１から４の何れか１項に記載の基地局。（５）
【０２２７】
（付記６）  前記制御装置は、前記アクセス権情報を記憶している一般無線端末に前記基地局の利用の許容を示す報知情報を送信する処理を行い、当該報知情報を受信した一般
無線端末から送信されるアクセス権情報を前記所定期間の満了前に受け付けたときに当該一般無線端末による前記基地局の利用を許容する処理を行う
付記１から５の何れか１項に記載の基地局。
【０２２８】
（付記７）  特定基地局に対するアクセス権を有しない無線端末であって、
前記特定基地局に対するアクセス権情報の受信、又は前記アクセス権情報の一次元又は二次元コードの読み取りによって前記アクセス権情報を取得する装置と、
前記アクセス権情報を記憶する記憶装置と、
前記アクセス権情報が前記記憶装置に記憶されていることを条件として前記特定基地局のセルを待ち受けセルに決定する処理と、前記特定基地局のセルを待ち受けセルに決定したときに前記アクセス権情報を前記特定基地局へ送信する処理と、前記アクセス権情報が所定期間内に前記特定基地局に受け付けられたことによって前記特定基地局の利用が許容されたことを示す応答が受信されないときに前記記憶装置から前記アクセス権情報を削除する処理とを行う制御装置と、
を含む無線端末。（６）
【０２２９】
（付記８）  前記装置は、前記特定基地局から前記アクセス権情報の格納指示を含む報知情報を受信する無線通信装置を含む
付記７に記載の無線端末。
【０２３０】
（付記９）  前記装置は、前記特定基地局又は前記特定基地局と異なる通信機器との近距離無線通信又は赤外線通信によって前記アクセス権情報を受信する通信装置を含む
付記７に記載の無線端末。
【０２３１】
（付記１０）  前記制御装置は、前記特定基地局又は前記特定基地局と異なる通信機器から受信されるアクセス権情報の削除指示が受信されたときに前記記憶装置に記憶されたアクセス権情報を削除する
付記７から９の何れか１項に記載の無線端末。
【０２３２】
（付記１１）  前記制御装置は、待ち受けセルを前記特定基地局のセルと異なるセルに変更したときに前記記憶装置に記憶された前記アクセス権情報を削除する
付記７から９の何れか１項に記載の無線端末。
【０２３３】
（付記１２）  前記制御装置は、待ち受けセルを前記特定基地局のセルと異なるセルに変更した後の所定時間内に待ち受けセルを前記特定基地局のセルに変更しなかったときに前記記憶装置に記憶された前記アクセス権情報を削除する
付記７から９の何れか１項に記載の無線端末。
【０２３４】
（付記１３）  前記制御装置は、前記アクセス権情報が前記記憶装置に記憶された状態で、前記特定基地局から前記アクセス権情報を記憶している一般無線端末向けに前記特定基地局の利用を許容することを示す報知情報を受信したときに、前記特定基地局のセルを待ち受けセルに決定する
付記７から９の何れか１項に記載の無線端末。
【符号の説明】
【０２３５】
３・・・特定基地局
５Ｂ・・・一般無線端末
２５，４６・・・ＣＰＵ
４７・・・メモリ
４７１・・・記憶領域
【図１】
2015154215.tif 000003
【図２】
2015154215.tif 000004
【図３】
2015154215.tif 000005
【図４】
2015154215.tif 000006
【図５】
2015154215.tif 000007
【図６】
2015154215.tif 000008
【図７Ａ】
2015154215.tif 000009
【図７Ｂ】
2015154215.tif 000010
【図８Ａ】
2015154215.tif 000011
【図８Ｂ】
2015154215.tif 000012
【図８Ｃ】
2015154215.tif 000013
【図９】
2015154215.tif 000014
【図１０】
2015154215.tif 000015
【図１１】
2015154215.tif 000016
【図１２】
2015154215.tif 000017
【図１３】
2015154215.tif 000018
【図１４】
2015154215.tif 000019
【図１５】
2015154215.tif 000020
【図１６】
2015154215.tif 000021
【図１７】
2015154215.tif 000022
【図１８】
2015154215.tif 000023
【図１９】
2015154215.tif 000024
【図２０Ａ】
2015154215.tif 000025
【図２０Ｂ】
2015154215.tif 000026
【図２１】
2015154215.tif 000027
【図２２】
2015154215.tif 000028
【図２３】
2015154215.tif 000029
【図２４】
2015154215.tif 000030
【図２５】
2015154215.tif 000031
【図２６】
2015154215.tif 000032
【図２７】
2015154215.tif 000033